(57)【要約】  移動体デバイスと宛先基地局の間で圧縮コンテキストを確立することを円滑にするために、移動体デバイスの基地局間ハンドオーバの間に、発信基地局から宛先基地局に圧縮コンテキストのサブセットを転送することを円滑にするシステム、方法論、およびデバイスが説明される。発信基地局は、ハンドオーバに先立って、またはその間に、移動体デバイスと宛先基地局の間で圧縮コンテキストを少なくとも部分的に確立するために、基地局間ハンドオーバの間に、静的コンテキストおよび半静的コンテキストを備える圧縮コンテキストのサブセットを宛先基地局に転送することが可能である。発信基地局は、転送された圧縮コンテキストに関するインデックス情報を移動体デバイスに送信することが可能である。宛先基地局は、移動体デバイスとの効率的な通信を円滑にするために、受信された圧縮コンテキストのサブセットに基づいて、圧縮コンテキストを少なくとも部分的に確立することが可能であり、ハンドオーバの後で、移動体デバイスと圧縮コンテキストの任意の残りの部分を確立することが可能である。
2010534043.tif 000002
【特許請求の範囲】
【請求項１】
移動体デバイスに関連する通信を円滑にする方法であって、
発信基地局から宛先基地局への前記移動体デバイスのハンドオーバの間に、前記移動体デバイスと前記宛先基地局の間で完全な圧縮コンテキストを確立することを円滑にするために、圧縮コンテキストの何の部分が前記発信基地局から前記宛先基地局に転送されるかを示す少なくとも１つのインデックスを受信することと、
前記宛先基地局への前記移動体デバイスのハンドオーバの後で依然として確立されることになる圧縮コンテキストの任意の残りの部分を確立するために、前記宛先基地局と通信することと、を備え、確立されることになる圧縮コンテキストの前記残りの部分が、前記少なくとも１つのインデックスに少なくとも一部基づいて決定される方法。
【請求項２】
前記少なくとも１つのインデックスが、転送された圧縮コンテキストの前記部分が、圧縮コンテキストが転送されていないこと、圧縮コンテキストの少なくとも一部が転送されたこと、または完全な圧縮コンテキストが転送されたことのうちの少なくとも１つを示す請求項１の方法。
【請求項３】
前記少なくとも１つのインデックスが、転送された圧縮コンテキストの前記部分が、圧縮コンテキストの少なくとも一部であることを示し、圧縮コンテキストの前記少なくとも一部が、圧縮静的コンテキストまたは圧縮半静的コンテキストのうちの少なくとも１つを備え、前記ハンドオーバが基地局間ハンドオーバであることをさらに示す請求項１の方法。
【請求項４】
圧縮コンテキストの前記少なくとも一部が、ロバストヘッダ圧縮（ＲｏＨＣ）静的コンテキストまたはＲｏＨＣ圧縮半静的コンテキストのうちの少なくとも１つを備える請求項３の方法。
【請求項５】
圧縮コンテキストの前記残りの部分が、圧縮動的コンテキストを備える請求項１の方法。
【請求項６】
前記少なくとも１つのインデックスを備える少なくとも１つのメッセージを受信することであって、前記少なくとも１つのメッセージが、ハンドオーバメッセージまたは異なるメッセージのうちの少なくとも１つである、受信することと、
ハンドオーバのタイプと前記発信基地局から前記宛先基地局に転送された圧縮コンテキストの前記部分とを決定するために、前記少なくとも１つのインデックスを評価することと、
前記少なくとも１つのメッセージに少なくとも一部基づいて、所定の時間に、前記発信基地局の発信元セルから前記宛先基地局の宛先セルに交換することと、
前記宛先セルに前記移動体デバイスを交換した後で、確立されることになる前記残りの圧縮コンテキストを確立することを円滑にするために、前記宛先基地局から少なくとも１つのデータパケットを受信することであって、前記少なくとも１つのデータパケットが、前記移動体デバイスと前記宛先基地局の間で確立された前記圧縮コンテキストの前記少なくとも一部に少なくとも一部基づいて圧縮されたデータを備える、受信することと、をさらに備える請求項１の方法。
【請求項７】
前記移動体デバイスと前記宛先基地局の間で確立された圧縮コンテキストの前記部分に少なくとも一部基づいて、前記少なくとも１つのデータパケットを圧縮解除すること
をさらに備える請求項６の方法。
【請求項８】
前記完全な圧縮コンテキストが、圧縮静的コンテキスト、圧縮半静的コンテキスト、および圧縮動的コンテキストを備え、前記完全な圧縮コンテキストが、インターネットプロトコル（ＩＰ）ヘッダ、ユニフォームデータグラムプロトコル（ＵＤＰ）ヘッダ、またはリアルタイムトランスファープロトコル（ＲＴＰ）ヘッダのうちの少なくとも１つをさらに備える請求項１の方法。
【請求項９】
前記完全な圧縮コンテキストが、データ通信、音声通信、ボイスオーバインターネットプロトコル（ＶｏＩＰ）、またはゲームに関するデータトラフィックのうちの少なくとも１つを円滑にする請求項１の方法。
【請求項１０】
発信基地局から宛先基地局への移動体デバイスのハンドオーバの間に、圧縮コンテキストの何のサブセットが前記発信基地局から前記宛先基地局に転送されるかを示す少なくとも１つのインデックスを受信することに関する命令を保持するメモリであって、前記移動体デバイスが、前記インデックスに少なくとも一部基づいて、前記移動体デバイスと前記宛先基地局の間で確立されることになる圧縮コンテキストの残りのサブセットを確立することを円滑にするメモリと、
前記メモリに結合され、かつ前記メモリ内に保持された前記命令を実行するように構成されたプロセッサと、を備える無線通信装置。
【請求項１１】
前記少なくとも１つのインデックスが、転送された圧縮コンテキストの前記サブセットが、圧縮コンテキストが転送されていないこと、静的圧縮コンテキストが転送されたこと、静的圧縮コンテキストおよび半静的圧縮コンテキストが転送されたこと、または完全な圧縮コンテキストが転送されたことのうちの少なくとも１つを備えることを示す請求項１０の無線通信装置。
【請求項１２】
前記メモリが、
前記少なくとも１つのインデックスを備える少なくとも１つのメッセージを受信することであって、前記少なくとも１つのメッセージが、ハンドオーバメッセージまたは異なるメッセージのうちの少なくとも１つである、受信することと、
前記少なくとも１つのメッセージに少なくとも一部基づいて、所定の時間に、前記発信基地局の発信セルから前記宛先基地局の宛先セルに前記移動体デバイスをハンドオーバすることであって、前記ハンドオーバすることが、前記発信基地局の発信元セルから前記宛先基地局の宛先セルへの前記移動体デバイスの基地局間ハンドオーバであり、前記少なくとも１つのインデックスが、前記ハンドオーバが基地局間ハンドオーバであることを特定する、ハンドオーバすることと、
前記宛先セルに前記移動体デバイスをハンドオーバした後で、確立されることになる前記残りの圧縮コンテキストを確立することを円滑にするために、前記宛先基地局から少なくとも１つのデータパケットを受信することであって、前記少なくとも１つのデータパケットが、前記移動体デバイスと前記宛先基地局の間で確立された前記圧縮コンテキストの前記少なくとも一部に少なくとも一部基づいて圧縮されたデータを備える、受信することと、に関係する命令を保持する請求項１０の無線通信装置。
【請求項１３】
前記メモリが、確立されることになる圧縮コンテキストの前記残りのサブセットを確立することを円滑にするために、転送された圧縮コンテキストの前記サブセットに少なくとも一部基づいて圧縮されたデータを備える、少なくとも１つの受信されたデータパケットを圧縮解除することに関する命令をさらに保持する請求項１２の無線通信装置。
【請求項１４】
前記完全な圧縮コンテキストが、圧縮静的コンテキスト、圧縮半静的コンテキスト、および圧縮動的コンテキストを備え、前記完全な圧縮コンテキストが、インターネットプロトコル（ＩＰ）ヘッダ、ユニフォームデータグラムプロトコル（ＵＤＰ）ヘッダ、またはリアルタイムトランスファープロトコル（ＲＴＰ）ヘッダのうちの少なくとも１つをさらに備える請求項１０の無線通信装置。
【請求項１５】
移動体デバイスに関連する通信を円滑にする無線通信装置であって、
発信基地局から宛先基地局への前記移動体デバイスのハンドオーバの間に、前記移動体デバイスと前記宛先基地局の間で完全な圧縮コンテキストを確立することを円滑にするために、圧縮コンテキストの何の部分が前記発信基地局から前記宛先基地局に転送されたかを特定する少なくとも１つのインデックスを受信する手段と、
前記宛先基地局への前記移動体デバイスのハンドオーバの後で依然として確立されることになる圧縮コンテキストの任意の残りの部分を確立するために、前記宛先基地局と通信する手段と、を備え、確立されることになる圧縮コンテキストの前記残りの部分が、前記少なくとも１つのインデックスに少なくとも一部基づいて決定される無線通信装置。
【請求項１６】
前記少なくとも１つのインデックスが、転送された圧縮コンテキストの前記部分が、圧縮コンテキストが転送されていないこと、圧縮コンテキストの少なくとも一部が転送されたこと、または完全な圧縮コンテキストが転送されたことのうちの少なくとも１つを特定する請求項１５の無線通信装置。
【請求項１７】
前記少なくとも１つのインデックスを備える少なくとも１つのメッセージを受信する手段であって、前記少なくとも１つのメッセージが、ハンドオーバメッセージまたは異なるメッセージのうちの少なくとも１つである、受信する手段と、
前記少なくとも１つのメッセージに少なくとも一部基づいて、所定の時間に、前記発信基地局の発信元セルから前記宛先基地局の宛先セルに前記移動体デバイスを交換する手段であって、前記発信元セルから前記宛先セルに前記移動体デバイスを前記交換することが基地局間ハンドオーバに関し、前記少なくとも１つのインデックスが、前記ハンドオーバが基地局間ハンドオーバであることを特定する、交換する手段と、
確立されることになる前記残りの圧縮コンテキストを確立することを円滑にするために、前記宛先基地局から少なくとも１つのデータパケットを受信する手段であって、前記少なくとも１つのデータパケットが、前記移動体デバイスと前記宛先基地局の間で確立された前記圧縮コンテキストの前記少なくとも一部に少なくとも一部基づいて圧縮されたデータを備え、前記少なくとも１つのデータパケットが、前記移動体デバイスが前記宛先セルに交換された後に受信され、確立された前記圧縮コンテキストの前記部分が、圧縮静的コンテキストまたは圧縮半静的コンテキストのうちの少なくとも１つを備える、受信する手段と、
前記移動体デバイスと前記宛先基地局の間で確立されることになる圧縮コンテキストの前記残りの部分を確立することを円滑にするために、前記移動体デバイスと前記宛先基地局の間で確立された圧縮コンテキストの前記部分に少なくとも一部基づいて、前記少なくとも１つのデータパケットを圧縮解除する手段と、をさらに備える請求項１５の無線通信装置。
【請求項１８】
発信基地局から宛先基地局への前記移動体デバイスのハンドオーバの間に、前記移動体デバイスと前記宛先基地局の間で完全な圧縮コンテキストを確立することを円滑にするために、圧縮コンテキストの何の部分が前記発信基地局から前記宛先基地局に転送されるかを示す少なくとも１つのインデックスを受信するため、および
前記宛先基地局への前記移動体デバイスのハンドオーバの後で、依然として確立されることになる圧縮コンテキストの任意の残りの部分を確立するために、前記宛先基地局と通信するため、
のコードを備えたコンピュータ可読媒体を備えるコンピュータプログラム製品であって、確立されることになる圧縮コンテキストの前記残りの部分が、前記少なくとも１つのインデックスに少なくとも一部基づいて決定されるコンピュータプログラム製品。
【請求項１９】
前記少なくとも１つのインデックスを備える少なくとも１つのメッセージを受信するためであって、前記少なくとも１つのメッセージが、ハンドオーバコマンドまたは異なるメッセージのうちの少なくとも１つである、受信するため、
前記ハンドオーバコマンドに少なくとも一部基づいて、所定の時間に、前記発信基地局の発信元セルから前記宛先基地局の宛先セルに前記移動体デバイスをハンドオーバするためであって、前記発信元セルから前記宛先セルに前記移動体デバイスを前記ハンドオーバすることが基地局間ハンドオーバに関し、前記少なくとも１つのインデックスが、前記ハンドオーバすることが基地局間ハンドオーバであることを特定する、ハンドオーバするため、
確立されることになる前記残りの圧縮コンテキストを確立することを円滑にするために、前記宛先基地局から少なくとも１つのデータパケットを受信するためであって、前記少なくとも１つのデータパケットが、前記移動体デバイスと前記宛先基地局の間で確立された前記圧縮コンテキストの前記少なくとも一部に少なくとも一部基づいて、圧縮されたデータを備え、前記少なくとも１つのデータパケットが、前記移動体デバイスが前記宛先セルにハンドオーバされた後で受信され、確立された前記圧縮コンテキストの前記部分が、圧縮静的コンテキストまたは圧縮半静的コンテキストの少なくとも１つを備える、受信するため、および
前記移動体デバイスと前記宛先基地局の間で確立されることになる圧縮コンテキストの前記残りの部分を確立することを円滑にするために、前記移動体デバイスと前記宛先基地局の間で確立された圧縮コンテキストの前記部分に少なくとも一部基づいて前記少なくとも１つのデータパケットを圧縮解除するため、
のコードを備えたコンピュータ可読媒体をさらに備える請求項１８のコンピュータプログラム製品。
【請求項２０】
前記少なくとも１つのインデックスが、転送された圧縮コンテキストの前記部分が、圧縮コンテキストが転送されなかったこと、圧縮コンテキストの少なくとも一部が転送されたこと、または完全な圧縮コンテキストが転送されたことのうちの少なくとも１つであることを示し、圧縮コンテキストの前記少なくとも一部が、圧縮静的コンテキストまたは圧縮半静的コンテキストのうちの少なくとも１つを備える請求項１８のコンピュータプログラム製品。
【請求項２１】
前記完全な圧縮コンテキストが、圧縮静的コンテキスト、圧縮半静的コンテキスト、および圧縮動的コンテキストを備え、前記完全な圧縮コンテキストが、インターネットプロトコル（ＩＰ）ヘッダ、ユニフォームデータグラムプロトコル（ＵＤＰ）ヘッダ、またはリアルタイムトランスファープロトコル（ＲＴＰ）ヘッダのうちの少なくとも１つをさらに備える請求項１８のコンピュータプログラム製品。
【請求項２２】
無線通信システムにおいて、
発信基地局から宛先基地局への前記移動体デバイスのハンドオーバの間に、前記移動体デバイスと前記宛先基地局の間で完全な圧縮コンテキストを確立することを円滑にするために、圧縮コンテキストの何の部分が前記発信基地局から前記宛先基地局に転送されるかを特定する少なくとも１つのインデックスを受信して、
前記宛先基地局への前記移動体デバイスのハンドオーバの後で、依然として確立されることになる圧縮コンテキストの任意の残りの部分を確立するために、前記宛先基地局と通信する、
プロセッサを備える装置であって、確立されることになる圧縮コンテキストの前記残りの部分が、前記少なくとも１つのインデックスに少なくとも一部基づいて決定される装置。
【請求項２３】
前記プロセッサが、
前記移動体デバイスのハンドオーバの間に、ハンドオーバのタイプおよび前記発信基地局から前記宛先基地局に転送された圧縮コンテキストの前記部分を決定するために、前記少なくとも１つのインデックスを評価して、
前記移動体デバイスと前記宛先基地局の間で確立されることになる圧縮コンテキストの前記残りの部分を確立することを円滑にするために、前記移動体デバイスと前記宛先基地局の間で確立された圧縮コンテキストの前記部分に少なくとも一部基づいて、前記少なくとも１つの受信されたデータパケットを圧縮解除する請求項２２の装置。
【請求項２４】
移動体デバイスに関連する通信を円滑にする方法であって、
発信基地局から宛先基地局への前記移動体デバイスのハンドオーバに先立って、またはその間に、圧縮コンテキストの少なくともサブセットを確立することを円滑にするために、前記発信基地局から前記宛先基地局に圧縮コンテキストの前記サブセットを送信することと、
前記移動体デバイスに少なくとも１つのインデックスを送信することであって、前記少なくとも１つのインデックスが、前記移動体デバイスが、前記少なくとも１つのインデックスに少なくとも一部基づいて、前記宛先基地局への前記移動体デバイスのハンドオーバに先立って、またはその間に、前記宛先基地局によって確立された圧縮コンテキストの前記サブセットを決定することを可能にするために、前記宛先基地局に送信された圧縮コンテキストの前記サブセットを特定する、送信することと、を備える方法。
【請求項２５】
圧縮コンテキストの前記サブセットが、圧縮静的コンテキストまたは圧縮半静的コンテキストのうちの少なくとも１つを備え、前記少なくとも１つのインデックスが、前記ハンドオーバが基地局間ハンドオーバであることを特定し、圧縮コンテキストの前記サブセットが、圧縮静的コンテキストまたは圧縮半静的コンテキストのうちの少なくとも１つを備えることをさらに特定する請求項２４の方法。
【請求項２６】
圧縮コンテキストの前記サブセットが、ロバストヘッダ圧縮（ＲｏＨＣ）静的コンテキストまたはＲｏＨＣ圧縮半静的コンテキストのうちの少なくとも１つを備える請求項２５の方法。
【請求項２７】
前記少なくとも１つのインデックスを備える少なくとも１つのメッセージを送信することをさらに備え、前記少なくとも１つのメッセージが、ハンドオーバメッセージまたは異なるメッセージのうちの少なくとも１つである請求項２４の方法。
【請求項２８】
前記発信基地局から前記宛先基地局に圧縮コンテキストの前記サブセットを前記送信することが、前記宛先基地局への前記移動体デバイスのハンドオーバの後で、前記移動体デバイスと前記宛先基地局の間で完全な圧縮コンテキストを確立することを円滑にし、前記完全な圧縮コンテキストが、圧縮静的コンテキスト、圧縮半静的コンテキスト、および圧縮動的コンテキストを備え、前記完全な圧縮コンテキストが、インターネットプロトコル（ＩＰ）ヘッダ、ユニフォームデータグラムプロトコル（ＵＤＰ）ヘッダ、またはリアルタイムトランスファープロトコル（ＲＴＰ）ヘッダのうちの少なくとも１つをさらに備える請求項２４の方法。
【請求項２９】
発信基地局から宛先基地局への前記移動体デバイスの基地局間ハンドオーバに先立って、またはその間に、圧縮コンテキストの少なくとも前記サブセットを確立することを円滑にするために、前記発信基地局から前記宛先基地局に圧縮コンテキストのサブセットを送信することと、
少なくともとも１つのインデックスを備える少なくとも１つのメッセージを前記移動体デバイスに送信することであって、前記少なくとも１つのインデックスが、前記移動体デバイスが、前記少なくとも１つのインデックスに少なくとも一部基づいて、前記宛先基地局への前記移動体デバイスのハンドオーバに先立って、またはその間に、前記宛先基地局によって確立された圧縮コンテキストの前記サブセットを決定することを可能にするために、前記宛先基地局に送信された圧縮コンテキストの前記サブセットを特定する、送信すること、
に関する命令を保持するメモリと、
前記メモリに結合され、かつ前記メモリ内に保持された前記命令を実行するように構成されたプロセッサと、を備える無線通信装置。
【請求項３０】
圧縮コンテキストの前記サブセットが、圧縮静的コンテキストまたは圧縮半静的コンテキストのうちの少なくとも１つを備え、前記少なくとも１つのインデックスが、前記ハンドオーバが基地局間ハンドオーバであることを特定し、圧縮コンテキストの前記サブセットが、圧縮静的コンテキストまたは圧縮半静的コンテキストのうちの少なくとも１つを備えることをさらに特定する請求項２９の無線通信装置。
【請求項３１】
前記発信基地局から前記宛先基地局に圧縮コンテキストの前記サブセットを前記送信することが、前記宛先基地局への前記移動体デバイスのハンドオーバの後で、前記移動体デバイスと前記宛先基地局の間で完全な圧縮コンテキストを確立することを円滑にし、前記完全な圧縮コンテキストが、圧縮静的コンテキスト、圧縮半静的コンテキスト、および圧縮動的コンテキストを備え、前記完全な圧縮コンテキストが、インターネットプロトコル（ＩＰ）ヘッダ、ユニフォームデータグラムプロトコル（ＵＤＰ）ヘッダ、またはリアルタイムトランスファープロトコル（ＲＴＰ）ヘッダのうちの少なくとも１つをさらに備える請求項２９の無線通信装置。
【請求項３２】
移動体デバイスに関連する通信を円滑にする無線通信装置であって、
発信基地局から宛先基地局への前記移動体デバイスのハンドオーバに先立って、またはその間に、圧縮コンテキストの少なくともサブセットを確立することを円滑にするために、前記発信基地局から前記宛先基地局に圧縮コンテキストの前記サブセットを送信する手段と、
少なくとも１つのインデックスを備える少なくとも１つのメッセージを前記移動体デバイスに送信する手段であって、前記少なくとも１つのインデックスが、前記移動体デバイスが、前記少なくとも１つのインデックスに少なくとも一部基づいて、前記宛先基地局への前記移動体デバイスのハンドオーバに先立って、またはその間に、前記宛先基地局によって確立された圧縮コンテキストの前記サブセットを決定することを可能にするために、前記宛先基地局に送信された圧縮コンテキストの前記サブセットを特定する、送信する手段と、を備える無線通信装置。
【請求項３３】
圧縮コンテキストの前記サブセットが、圧縮静的コンテキストまたは圧縮半静的コンテキストのうちの少なくとも１つを備え、前記少なくとも１つのインデックスが、前記ハンドオーバが基地局間ハンドオーバであることを特定し、圧縮コンテキストの前記サブセットが、圧縮静的コンテキストまたは圧縮半静的コンテキストのうちの少なくとも１つを備えることをさらに特定する請求項３２の無線通信装置。
【請求項３４】
前記発信基地局から前記宛先基地局に圧縮コンテキストの前記サブセットを前記送信する手段が、前記宛先基地局への前記移動体デバイスのハンドオーバの後で、前記移動体デバイスと前記宛先基地局の間で完全な圧縮コンテキストを確立することを円滑にし、前記完全な圧縮コンテキストが、圧縮静的コンテキスト、圧縮半静的コンテキスト、および圧縮動的コンテキストを備え、前記完全な圧縮コンテキストが、インターネットプロトコル（ＩＰ）ヘッダ、ユニフォームデータグラムプロトコル（ＵＤＰ）ヘッダ、またはリアルタイムトランスファープロトコル（ＲＴＰ）ヘッダのうちの少なくとも１つをさらに備える請求項３２の無線通信装置。
【請求項３５】
発信基地局から宛先基地局への前記移動体デバイスのハンドオーバに先立って、またはその間に、圧縮コンテキストの少なくともサブセットを確立することを円滑にするために、前記発信基地局から前記宛先基地局に圧縮コンテキストの前記サブセットを転送するため、および
少なくとも１つのインデックスを前記移動体デバイスに送信するためであって、前記少なくとも１つのインデックスが、前記移動体デバイスが、前記少なくとも１つのインデックスに少なくとも一部基づいて、前記宛先基地局への前記移動体デバイスのハンドオーバに先立って、またはその間に、前記宛先基地局によって確立された圧縮コンテキストの前記サブセットを決定することを可能にするために、前記宛先基地局に送信された圧縮コンテキストの前記サブセットを特定する、送信するため、
のコードを備えたコンピュータ可読媒体を備えるコンピュータプログラム製品。
【請求項３６】
前記少なくとも１つのインデックスを備える少なくとも１つのメッセージを送信するためのコードを備えたコンピュータ可読媒体をさらに備え、
前記少なくとも１つのメッセージが、ハンドオーバメッセージまたは異なるメッセージのうちの少なくとも１つである請求項３５のコンピュータプログラム製品。
【請求項３７】
圧縮コンテキストの前記サブセットが、圧縮静的コンテキストまたは圧縮半静的コンテキストのうちの少なくとも１つを備え、前記少なくとも１つのインデックスが、前記ハンドオーバが基地局間ハンドオーバであることを特定し、圧縮コンテキストの前記サブセットが、圧縮静的コンテキストまたは圧縮半静的コンテキストのうちの少なくとも１つを備えることをさらに特定する請求項３５のコンピュータプログラム製品。
【請求項３８】
前記発信基地局から前記宛先基地局に圧縮コンテキストの前記サブセットを前記転送することが、前記宛先基地局への前記移動体デバイスのハンドオーバの後で、前記移動体デバイスと前記宛先基地局の間で完全な圧縮コンテキストを確立することを円滑にし、前記完全な圧縮コンテキストが、圧縮静的コンテキスト、圧縮半静的コンテキスト、および圧縮動的コンテキストを備え、前記完全な圧縮コンテキストが、インターネットプロトコル（ＩＰ）ヘッダ、ユニフォームデータグラムプロトコル（ＵＤＰ）ヘッダ、またはリアルタイムトランスファープロトコル（ＲＴＰ）ヘッダのうちの少なくとも１つをさらに備える請求項３５のコンピュータプログラム製品。
【請求項３９】
無線通信システムにおいて、
発信基地局から宛先基地局への前記移動体デバイスのハンドオーバに先立って、またはその間に、圧縮コンテキストの少なくともサブセットを確立することを円滑にするために、前記発信基地局から前記宛先基地局に圧縮コンテキストの前記サブセットを転送して、
少なくとも１つのインデックスを前記移動体デバイスに送信する、
プロセッサを備える装置であって、
前記少なくとも１つのインデックスが、前記移動体デバイスが、前記少なくとも１つのインデックスに少なくとも一部基づいて、前記宛先基地局への前記移動体デバイスのハンドオーバに先立って、またはその間に、前記宛先基地局によって確立された圧縮コンテキストの前記サブセットを決定することを可能にするために、前記宛先基地局に送信された圧縮コンテキストの前記サブセットを特定する装置。
【請求項４０】
圧縮コンテキストの前記サブセットが、圧縮静的コンテキストまたは圧縮半静的コンテキストのうちの少なくとも１つを備え、前記宛先基地局への前記移動体デバイスのハンドオーバに先立って、またはその間に、前記宛先基地局によって圧縮コンテキストの前記サブセットを確立することが、ハンドオーバの後で、前記移動体デバイスと前記宛先基地局の間で完全な圧縮コンテキストを確立することを円滑にし、前記少なくとも１つのインデックスが、前記ハンドオーバが基地局間ハンドオーバであることを特定し、圧縮コンテキストの前記サブセットが、圧縮静的コンテキストまたは圧縮半静的コンテキストのうちの少なくとも１つを備えることをさらに特定する請求項３９の装置。
【請求項４１】
移動体デバイスに関連する通信を円滑にする方法であって、
発信基地局からの宛先基地局への前記移動体デバイスの基地局間ハンドオーバに先立って、またはその間に、圧縮コンテキストの少なくともサブセットを確立することを円滑にするために、前記発信基地局から圧縮コンテキストの前記サブセットを受信することと、
前記基地局間ハンドオーバに先立って、またはその間に、圧縮コンテキストの少なくとも前記サブセットを確立するために、圧縮コンテキストの前記サブセットを適用することと、を備える方法。
【請求項４２】
圧縮コンテキストの前記サブセットが、圧縮静的コンテキストまたは圧縮半静的コンテキストのうちの少なくとも１つを備え、圧縮コンテキストの前記サブセットを前記適用することが、前記基地局間ハンドオーバの後で、前記移動体デバイスと前記宛先基地局の間で完全な圧縮コンテキストを確立することを円滑にし、前記完全な圧縮コンテキストが、圧縮静的コンテキスト、圧縮半静的コンテキスト、および圧縮動的コンテキストを備え、前記完全な圧縮コンテキストが、インターネットプロトコル（ＩＰ）ヘッダ、ユニフォームデータグラムプロトコル（ＵＤＰ）ヘッダ、またはリアルタイムトランスファープロトコル（ＲＴＰ）ヘッダのうちの少なくとも１つをさらに備える請求項４１の方法。
【請求項４３】
圧縮コンテキストの前記サブセットが、ロバストヘッダ圧縮（ＲｏＨＣ）静的コンテキストまたはＲｏＨＣ圧縮半静的コンテキストのうちの少なくとも１つを備える請求項４１の方法。
【請求項４４】
前記移動体デバイスと前記宛先基地局の間で確立されることになる圧縮コンテキストの残りのサブセットを確立することを円滑にするために、前記移動体デバイスと前記宛先基地局の間で確立された圧縮コンテキストの前記サブセットに少なくとも一部基づいて、少なくとも１つのデータパケットを圧縮することと、
前記移動体デバイスと前記宛先基地局の間で完全な圧縮コンテキストを確立する目的で、圧縮コンテキストの前記残りのサブセットを確立することを円滑にするために、圧縮されたデータを備える前記少なくとも１つのデータパケットを前記移動体デバイスに送信することと、をさらに備える請求項４１の方法。
【請求項４５】
前記移動体デバイスと前記宛先基地局の間で完全な圧縮コンテキストを確立するために、圧縮コンテキストの前記残りのサブセットを適用することをさらに備え、圧縮コンテキストの前記残りのサブセットが、前記基地局間ハンドオーバに先立って、またはその間に確立された圧縮コンテキストの前記サブセットに少なくとも一部基づいて圧縮解除された圧縮されたデータを備える請求項４４に記載の方法。
【請求項４６】
発信基地局から宛先基地局への前記移動体デバイスの基地局間ハンドオーバに先立って、またはその間に、圧縮コンテキストの少なくともサブセットを確立することを円滑にするために、前記発信基地局から圧縮コンテキストの前記サブセットを受信することと、
前記基地局間ハンドオーバに先立って、またはその間に、圧縮コンテキストの少なくとも前記サブセットを確立するために、圧縮コンテキストの前記サブセットを適用することと、
に関係する命令を保持するメモリと、
前記メモリに結合され、かつ前記メモリ内に保持された前記命令を実行するように構成されたプロセッサと、を備える無線通信装置。
【請求項４７】
圧縮コンテキストの前記サブセットが、圧縮静的コンテキストまたは圧縮半静的コンテキストのうちの少なくとも１つを備え、圧縮コンテキストの前記サブセットを前記適用することが、前記基地局間ハンドオーバの後で、前記移動体デバイスと前記宛先基地局の間で完全な圧縮コンテキストを確立することを円滑にし、前記完全な圧縮コンテキストが、圧縮静的コンテキスト、圧縮半静的コンテキスト、および圧縮動的コンテキストを備え、前記完全な圧縮コンテキストが、インターネットプロトコル（ＩＰ）ヘッダ、ユニフォームデータグラムプロトコル（ＵＤＰ）ヘッダ、またはリアルタイムトランスファープロトコル（ＲＴＰ）ヘッダのうちの少なくとも１つをさらに備える請求項４６の無線通信装置。
【請求項４８】
前記メモリが、
前記移動体デバイスと前記宛先基地局の間で確立されることになる圧縮コンテキストの残りのサブセットを確立することを円滑にするために、前記移動体デバイスと前記宛先基地局の間で確立された圧縮コンテキストの前記サブセットに少なくとも一部基づいて、少なくとも１つのデータパケットを圧縮することと、
前記移動体デバイスと前記宛先基地局の間で完全な圧縮コンテキストを確立する目的で、圧縮コンテキストの前記残りのサブセットを確立することを円滑にするために、圧縮されたデータを備える前記少なくとも１つのデータパケットを前記移動体デバイスに送信することと、に関する命令をさらに保持する請求項４６の無線通信装置。
【請求項４９】
移動体デバイスに関連する通信を円滑にする無線通信装置であって、
発信基地局から宛先基地局への前記移動体デバイスの基地局間ハンドオーバに先立って、またはその間に、圧縮コンテキストの少なくともサブセットを確立することを円滑にするために、前記発信基地局から圧縮コンテキストの前記サブセットを受信する手段と、
前記基地局間ハンドオーバに先立って、またはその間に、圧縮コンテキストの少なくとも前記サブセットを確立するために、圧縮コンテキストの前記サブセットを適用する手段と、を備える無線通信装置。
【請求項５０】
圧縮コンテキストの前記サブセットが、圧縮静的コンテキストまたは圧縮半静的コンテキストのうちの少なくとも１つを備え、圧縮コンテキストの前記サブセットを前記適用することが、前記基地局間ハンドオーバの後で、前記移動体デバイスと前記宛先基地局の間で完全な圧縮コンテキストを確立することを円滑にする請求項４９の無線通信装置。
【請求項５１】
前記移動体デバイスと前記宛先基地局の間で確立されることになる圧縮コンテキストの残りのサブセットを確立することを円滑にするために、前記移動体デバイスと前記宛先基地局の間で確立された圧縮コンテキストの前記サブセットに少なくとも一部基づいて、少なくとも１つのデータパケットを圧縮する手段と、
前記移動体デバイスと前記宛先基地局の間で完全な圧縮コンテキストを確立する目的で、圧縮コンテキストの前記残りのサブセットを確立することを円滑にするために、圧縮されたデータを備える前記少なくとも１つのデータパケットを前記移動体デバイスに送信する手段と、をさらに備える請求項４９の無線通信装置。
【請求項５２】
発信基地局から宛先基地局への前記移動体デバイスの基地局間ハンドオーバに先立って、またはその間に、圧縮コンテキストの少なくともサブセットを確立することを円滑にするために、前記発信基地局から圧縮コンテキストの前記サブセットを受信するため、および
前記基地局間ハンドオーバに先立って、またはその間に、圧縮コンテキストの少なくとも前記サブセットを確立するために、圧縮コンテキストの前記サブセットを適用するため、
のコードを備えるコンピュータ可読媒体を備えるコンピュータプログラム製品。
【請求項５３】
圧縮コンテキストの前記サブセットが、圧縮静的コンテキストまたは圧縮半静的コンテキストのうちの少なくとも１つを備え、圧縮コンテキストの前記サブセットを前記適用することが、前記基地局間ハンドオーバの後で、前記移動体デバイスと前記宛先基地局の間で完全な圧縮コンテキストを確立することを円滑にする請求項５２のコンピュータプログラム製品。
【請求項５４】
前記移動体デバイスと前記宛先基地局の間で確立されることになる圧縮コンテキストの残りのサブセットを確立することを円滑にするために、前記移動体デバイスと前記宛先基地局の間で確立された圧縮コンテキストの前記サブセットに少なくとも一部基づいて、少なくとも１つのデータパケットを圧縮するため、および
前記移動体デバイスと前記宛先基地局の間で完全な圧縮コンテキストを確立する目的で、圧縮コンテキストの前記残りのサブセットを確立することを円滑にするために、圧縮されたデータを備える前記少なくとも１つのデータパケットを前記移動体デバイスに送信するため、のコードを備えたコンピュータ可読媒体をさらに備える請求項５２のコンピュータプログラム製品。
【請求項５５】
無線通信システムにおいて、
発信基地局から宛先基地局への前記移動体デバイスの基地局間ハンドオーバに先立って、またはその間に、圧縮コンテキストの少なくともサブセットを確立することを円滑にするために、前記発信基地局から圧縮コンテキストの前記サブセットを受信して、
前記基地局間ハンドオーバに先立って、またはその間に、圧縮コンテキストの少なくとも前記サブセットを確立するために、圧縮コンテキストの前記サブセットを適用する構成されたプロセッサを備える装置。
【発明の詳細な説明】
【技術分野】
【０００１】
以下の説明は、一般に、無線通信に関し、より詳細には、別のセルへの移動体デバイスのハンドオーバの間に、静的コンテキストおよび半静的コンテキストを送信することに関する。
【０００２】
この出願は、２００７年７月１８日に出願され、参照によりその出願の全体が組み込まれている、「Ａ  ＭＥＴＨＯＤ  ＡＮＤ  ＡＰＰＡＲＡＴＵＳ  ＦＯＲ  ＲＯＨＣ  ＳＴＡＴＩＣ  ＡＮＤ  ＳＥＭＩ−ＳＴＡＴＩＣ  ＣＯＮＴＥＸＴ  ＴＲＡＮＳＦＥＲ」という表題の米国仮特許出願第６０／９５０，５８１号の利益を主張する。
【背景技術】
【０００３】
無線通信システムは、様々なタイプの通信を提供するために広く配備されている。例えば、音声および／またはデータは、かかる無線通信システムを経由して提供され得る。典型的な無線通信システム、または無線通信ネットワークは、複数ユーザに１つまたは複数の共有リソース（例えば、帯域幅、送信電力、．．．）に対するアクセスを提供することが可能である。例えば、システムは、周波数分割多重化（ＦＤＭ）、時分割多重化（ＴＤＭ）、符号分割多重化（ＣＤＭ）、第３世代パートナーシッププロジェクト（３ＧＰＰ）ロングタームエボリューション（ＬＴＥ）システム、直交周波数分割多重化（ＯＦＭＤ）など、様々な多元接続技術を使用することが可能である。
【０００４】
一般に、無線多元接続通信システムは、複数の移動体デバイスに関する通信を同時にサポートすることが可能である。それぞれの移動体デバイスは、順方向リンク上および逆方向リンク上の送信を経由して、１つまたは複数の基地局と通信することが可能である。順方向リンク（すなわち、ダウンリンク）は、基地局から移動体デバイスに対する通信リンクを指し、逆方向リンク（すなわち、アップリンク）は、移動体デバイスから基地局への通信リンクを指す。この通信リンクは、単一入力単一出力システム、多入力単一出力システム、または多入出力（ＭＩＭＯ）システムを経由して確立され得る。
【０００５】
例えば、ＭＩＭＯシステムは、データ送信のために、複数（ＮＴ本）の送信アンテナおよび複数（ＮＲ本）の受信アンテナを用いることが可能である。ＮＴ本の送信アンテナとＮＲ本の受信アンテナによって形成されるＭＩＭＯチャネルは、空間チャネルと呼ばれる場合もあるＮＳ個の独立したチャネルに分解されることが可能であり、この場合、ＮＳ≦最低｛ＮＴ，ＮＲ｝である。ＮＳ個の独立したチャネルのそれぞれは、次元に対応し得る。複数の送信アンテナと複数の受信アンテナとによって形成された追加の次元が利用される場合、ＭＩＭＯシステムは、改良型のパフォーマンス（例えば、より高いスループットおよび／またはより高い信頼性）を提供することが可能である。
【０００６】
ＭＩＭＯシステムは、時分割デュプレックス（duplex）（ＴＤＤ）システムおよび周波数分割デュプレックス（ＦＤＤ）システムをサポートすることが可能である。ＴＤＤシステムにおいて、順方向リンク送信および逆方向リンク送信は、同じ周波数領域上にある可能性があり、その結果、相反原理は、逆方向リンクチャネルからの順方向リンクチャネルの推定を可能にする。これは、複数のアンテナがそのアクセスポイントにおいて利用可能な場合、アクセスポイントが順方向リンク上で送信ビーム形成利得を抽出することを可能にし得る。
【０００７】
無線通信システムは、多くの場合、受信可能範囲領域を提供する１つまたは複数の基地局を用いる。典型的な基地局は、ブロードキャストサービス、マルチキャストサービス、および／またはユニキャストサービスのために複数のデータストリームを送信することが可能であり、データストリームは、移動体デバイスに関係する独立した受信のものであり得るデータの流れであり得る。かかる基地局の受信可能範囲領域内の移動体デバイスは、複合流れによって伝送される１つのデータストリーム、２つ以上のデータストリーム、またはすべてのデータストリームを受信するために用いられることが可能である。同様に、移動体デバイスは、データを基地局または別の移動体デバイスに送信することが可能である。
【０００８】
一般に、移動体デバイスに関連する情報（例えば、データ、ヘッダ情報など）は、無線通信環境において効率的な通信を円滑にするために送信される前に圧縮されることが可能である。例えば、基地局と移動体デバイスの間で通信される、ヘッダ（例えば、インターネットプロトコル（ＩＰ）ヘッダ、ユニフォームデータグラムプロトコル（Uniform Datagram Protocol）（ＵＤＰ）ヘッダ、リアルタイムトランスファープロトコル（ＲＴＰ）ヘッダ）
などの情報を圧縮するために、ロバストヘッダ圧縮（Robust Header Compression）（ＲｏＨＣ）エンジンが用いられることが可能である。通常、ある種の通信システム（例えば、ｌｘ、データオプティマイザ（Data Optimizer）（ＤＯ）、（ＨＳＰＡ））において、ＲｏＨＣ機能は、基地局コントローラ（ＢＳＣ）内または無線ネットワークコントローラ（ＲＮＣ）内に在局し、ＲｏＨＣコンテキストの再確立は、通常、ＢＳＣ内ハンドオーバまたはＲＮＣ内ハンドオーバよりもより少ない頻度で発生するＢＳＣ間ハンドオーバまたはＲＮＣ間ハンドオーバに関してだけ必要とされる。
【０００９】
しかし、ロングタームエボリューション（ＬＴＥ）通信システムなどの通信システムでは、パケットデータ収束プロトコル（ＰＤＣＰ）機能は、通常、アクセスゲートウェイ内ではなく、基地局（例えば、ｅノードＢ）内に在局する。結果として、ある基地局から別の基地局への移動体デバイスのそれぞれの基地局間ハンドオーバにおいてＲｏＨＣコンテキストが再確立されなければならない。これは、結果として、ＲｏＨＣコンテキストが再確立されるまで、ＩＰヘッダ、ＲＴＰヘッダ、およびＵＤＰヘッダなど、より大きなデータのパケットを圧縮されていない形態で移動体デバイスに送信させることになり、この場合、データは、ＲｏＨＣコンテキストが再確立された後で、移動体デバイスと基地局の間でより望ましい圧縮形態で送信されることが可能である。それぞれのハンドオーバにおいてＲｏＨＣコンテキストを再確立することは、結果として、ボイスオーバＩＰ（ＶｏＩＰ）および移動体ネットワークゲームなど、いくつかのアプリケーションに関して、ハンドオーバ事象における品質またはユーザ経験の劣化を招く可能性があるかなりの容量損失および／またはレイテンシの増大をもたらす。
【００１０】
ＩＰヘッダ（例えば、バージョン、フローラベル、次ヘッダ、発信元アドレス、宛先アドレスなど）、ＲＴＰヘッダ（例えば、バージョン拡張、同期ソース（ＳＳＲＣ）など）、およびＵＤＰヘッダ（例えば、発信元ポート、宛先ポート）の一部など、ある種の情報は、フローに関して、同じもしくは事実上同じであり得るか、または比較的低い頻度で変更され得る、静的コンテキストまたは半静的コンテキストである。ある基地局から異なる基地局への移動体デバイスのハンドオーバが発生するとき、ハンドオーバを導く、移動体デバイスに対するメッセージがその移動体デバイスに送られる時間と、ハンドオーバが発生する時間の間に、通常、短い時間周期が存在する。送信向けのデータを圧縮することを円滑にするために、ＲｏＨＣコンテキストを確立することが望まれるため、ハンドオーバの間に、効率的な形で、ＲｏＨＣコンテキストを少なくとも部分的にまたは完全に再確立できることが望まれる。
【発明の概要】
【００１１】
以下は、１つまたは複数の実施形態の基本的な理解をもたらすために、かかる複数の実施形態の簡素化された概要を提示する。この概要は、すべての企図される実施形態の広範囲にわたる概要ではなく、すべての実施形態の主要な要素もしくは重要な要素を識別すること、または任意のもしくはすべての実施形態の範囲を描写することが意図されない。その唯一の目的は、後に提示されるより詳細な説明の前置きとして、１つまたは複数の実施形態のいくつかの概念を簡素化された形で提示することである。
【００１２】
１つまたは複数の実施形態およびその対応する開示によれば、移動体デバイスと宛先標基地局の間の圧縮コンテキストの効率的な確立を円滑にするために、移動体デバイスの基地局間ハンドオーバの間に、発信基地局から宛先基地局に圧縮コンテキストのサブセットを効率的に転送することを円滑にすることによって、ネットワーク内で通信デバイス（例えば、移動体デバイス）に関連する効率的な接続および通信を円滑にすることに関して、様々な態様が説明される。一態様では、発信基地局は、ハンドオーバに先立って、またはその間に、移動体デバイスと宛先基地局の間で圧縮コンテキストを少なくとも部分的に確立するために、発信基地局から宛先基地局への移動体デバイスの基地局間ハンドオーバの間に、圧縮コンテキスト（例えば、圧縮静的コンテキストおよび圧縮半静的コンテキスト）のサブセットを宛先基地局に転送することが可能である。発信基地局は、発信基地局から宛先基地局に転送された圧縮コンテキストのサブセットに関するインデックス情報を移動体デバイスに送ることが可能である。宛先基地局は、移動体デバイスとの効率的な通信を円滑にするために、受信された圧縮コンテキストのサブセットに少なくとも一部基づいて、圧縮コンテキストを少なくとも部分的に確立することが可能であり、ハンドオーバの後で、移動体デバイスと圧縮コンテキストの任意の残りの部分（例えば、圧縮動的コンテキスト）を確立することが可能である。
【００１３】
関係する態様によれば、移動体デバイスに関連する通信を円滑にする方法が本明細書で開示される。この方法は、発信基地局から宛先基地局への移動体デバイスのハンドオーバの間に、移動体デバイスと宛先基地局の間で完全な圧縮コンテキストを確立することを円滑にするために、圧縮コンテキストの何の部分が発信基地局から宛先基地局に転送されるのかを示す少なくとも１つのインデックスを受信することを含み得る。さらに、この方法は、宛先基地局への移動体デバイスのハンドオーバの後に依然として確立されることになる圧縮コンテキストの任意の残りの部分を確立するために、宛先基地局と通信することを備えることが可能であり、確立されることになる圧縮コンテキストの残りの部分は、その少なくとも１つのインデックスに少なくとも一部基づいて決定される。
【００１４】
もう１つの態様は、無線通装置に関する。この無線通信装置は、発信基地局から宛先基地局への移動体デバイスのハンドオーバの間に、圧縮コンテキストの何のサブセットが発信基地局から宛先基地局に転送されるかを示す少なくとも１つのインデックスを受信することに関する命令を保持するメモリを含むことが可能であり、移動体デバイスは、そのインデックスに少なくとも一部基づいて、移動体デバイスと宛先基地局の間で確立されることになる圧縮コンテキストの残りのサブセットを確立することを円滑にする。さらに、この無線通信装置は、メモリに結合され、かつ当該メモリ内に保持された命令を実行するように構成されたプロセッサを含み得る。
【００１５】
さらに別の態様は、移動体デバイスに関連する通信を円滑にする無線通信装置に関する。この無線通信装置は、発信基地局から宛先基地局への移動体デバイスのハンドオーバの間に、移動体デバイスと宛先基地局の間で完全な圧縮コンテキストを確立することを円滑にするために、圧縮コンテキストの何の部分が発信基地局から宛先基地局に転送されるかを特定する少なくとも１つのインデックスを受信するための手段を含み得る。さらに、この無線通信装置は、宛先基地局への移動体デバイスのハンドオーバの後に依然として確立されることになる圧縮コンテキストの任意の残りの部分を確立するために、宛先基地局と通信するための手段を備えることが可能であり、確立されることになる圧縮コンテキストの残りの部分は、その少なくとも１つのインデックスに少なくとも一部基づいて決定される。
【００１６】
さらに別の態様は、発信基地局から宛先基地局への移動体デバイスのハンドオーバの間に、移動体デバイスと宛先基地局の間で完全な圧縮コンテキストを確立することを円滑にするために、圧縮コンテキストの何の部分が発信基地局から宛先基地局に転送されるかを示す少なくとも１つのインデックスを受信するため、および宛先基地局への移動体デバイスのハンドオーバの後で依然として確立された状態の圧縮コンテキストの任意の残りの部分を確立するために、宛先基地局と通信するためのコードを備えたコンピュータ可読媒体を備えたコンピュータプログラム製品に関し、確立されることになる圧縮コンテキストの残りの部分は、その少なくとも１つのインデックスに少なくとも一部基づいて決定される。
【００１７】
別の態様によれば、無線通信システムにおける装置は、プロセッサを含むことが可能であり、このプロセッサは、発信基地局から宛先基地局への移動体デバイスのハンドオーバの間に、移動体デバイスと宛先基地局の間で完全な圧縮コンテキストを確立することを円滑にするために、圧縮コンテキストの何の部分が発信基地局から宛先基地局に転送されるかを特定する少なくとも１つのインデックスを受信するように構成され得る。さらに、このプロセッサは、宛先基地局への移動体デバイスのハンドオーバの後に依然として確立されることになる圧縮コンテキストの任意の残りの部分を確立するために、宛先基地局と通信するように構成されることが可能であり、確立されることになる圧縮コンテキストの残りの部分は、その少なくとも１つのインデックスに少なくとも一部基づいて決定される。
【００１８】
その他の態様によれば、移動体デバイスに関連する通信を円滑にする方法が本明細書で説明される。この方法は、発信基地局から宛先基地局への移動体デバイスのハンドオーバに先立って、またはその間に、圧縮コンテキストの少なくともサブセットを確立することを円滑にするために、発信基地局から宛先基地局に圧縮コンテキストのサブセットを送信することを含み得る。さらに、この方法は、少なくとも１つのインデックスを移動体デバイスに送信することを備えることが可能であり、この少なくとも１つのインデックスは、移動体デバイスが、その少なくとも１つのインデックスに少なくとも一部基づいて、宛先基地局への移動体デバイスのハンドオーバに先立って、またはその間に、宛先基地局によって確立された圧縮コンテキストのサブセットを決定することを可能にするために、宛先基地局に送信された圧縮コンテキストのサブセットを特定する。
【００１９】
さらにもう１つの態様は、発信基地局から宛先基地局への移動体デバイスの基地局間ハンドオーバに先立って、またはその間に、圧縮コンテキストの少なくともサブセットを確立することを円滑にするために、発信基地局から宛先基地局に圧縮コンテキストのサブセットを送信することと、少なくとも１つのインデックスを備える少なくとも１つのメッセージを移動体デバイスに送信することとに関する命令を保持するメモリを含み得る無線通信装置に関し、少なくとも１つのインデックスは、移動体デバイスが、その少なくとも１つのインデックスに少なくとも一部基づいて、宛先基地局への移動体デバイスのハンドオーバに先立って、またはその間に、宛先基地局によって確立された圧縮コンテキストのサブセットを決定することを可能にするために、宛先基地局に送信された圧縮コンテキストのサブセットを特定する。さらに、この無線通信装置は、メモリに結合され、かつ当該メモリ内に保持された命令を実行するように構成されたプロセッサを備え得る。
【００２０】
もう１つの態様は、移動体デバイスに関連する通信を円滑にする無線通信装置に関する。この無線通信装置は、発信基地局から宛先基地局への移動体デバイスのハンドオーバに先立って、またはその間に、圧縮コンテキストの少なくともサブセットを確立することを円滑にするために、発信基地局から宛先基地局に圧縮コンテキストのサブセットを送信するための手段を含み得る。さらに、この無線通信装置は、少なくとも１つのインデックスを備える少なくとも１つのメッセージを移動体デバイスに送信するための手段を含むことが可能であり、この少なくとも１つのインデックスは、移動体デバイスが、その少なくとも１つのインデックスに少なくとも一部基づいて、宛先基地局への移動体デバイスのハンドオーバに先立って、またはその間に、宛先基地局によって確立された圧縮コンテキストのサブセットを決定することを可能にするために、宛先基地局に送信された圧縮コンテキストのサブセットを特定する。
【００２１】
さらにもう１つの態様は、発信基地局から宛先基地局への移動体デバイスのハンドオーバに先立って、またはその間に、圧縮コンテキストの少なくともサブセットを確立することを円滑にするために、発信基地局から宛先基地局に圧縮コンテキストのサブセットを転送するため、および少なくとも１つのインデックスを移動体デバイスに送信するためであって、この少なくとも１つのインデックスは、移動体デバイスが、その少なくとも１つのインデックスに少なくとも一部基づいて、宛先基地局への移動体デバイスのハンドオーバに先立って、またはその間に、宛先基地局によって確立された圧縮コンテキストのサブセットを決定することを可能にするために、宛先基地局に送信された圧縮コンテキストのサブセットを特定する、送信するためのコードを備えたコンピュータ可読媒体を備えるコンピュータプログラム製品に関する。
【００２２】
もう１つの態様によれば、無線通信システムにおける装置は、プロセッサを含むことが可能であり、このプロセッサは、発信基地局から宛先基地局への移動体デバイスのハンドオーバに先立って、またはその間に、圧縮コンテキストの少なくともサブセットを確立することを円滑にするために、発信基地局から宛先基地局に圧縮コンテキストのサブセットを転送するように構成され得る。さらに、このプロセッサは、少なくとも１つのインデックスを移動体デバイスに送信するように構成されることが可能であり、この少なくとも１つのインデックスは、移動体デバイスが、その少なくとも１つのインデックスに少なくとも一部基づいて、宛先基地局への移動体デバイスのハンドオーバに先立って、またはその間に、宛先基地局によって確立された圧縮コンテキストのサブセットを決定することを可能にするために、宛先基地局に送信された圧縮コンテキストのサブセットを特定する。
【００２３】
さらにその他の態様によれば、移動体デバイスに関連する通信を円滑にする方法が本明細書で説明される。この方法は、発信基地局から宛先基地局への移動体デバイスの基地局間ハンドオーバに先立って、またその間に、圧縮コンテキストの少なくともサブセットを確立することを円滑にするために、発信基地局から圧縮コンテキストのサブセットを受信することを含み得る。さらに、この方法は、基地局間ハンドオーバに先立って、またはその間に、圧縮コンテキストの少なくともサブセットを確立するために、圧縮コンテキストのサブセットを適用することを備え得る。
【００２４】
さらにもう１つの態様は、発信基地局から宛先基地局への移動体デバイスの基地局間ハンドオーバに先立って、またはその間に、圧縮コンテキストの少なくともサブセットを確立することを円滑にするために、発信基地局から圧縮コンテキストのサブセットを受信することと、基地局間のハンドオーバに先立って、またはその間に、圧縮コンテキストの少なくともサブセットを確立するために、圧縮コンテキストのサブセットを適用することとに関する命令を保持するメモリを含み得る無線通信装置に関する。さらに、この無線通信装置は、メモリに結合され、かつ当該メモリ内に保持された命令を実行するように構成されたプロセッサを備え得る。
【００２５】
もう１つの態様は、移動体デバイスの関連する通信を円滑にする無線通信装置に関する。この無線通信装置は、発信基地局から宛先基地局への移動体デバイスの基地局間ハンドオーバに先立って、またはその間に、圧縮コンテキストの少なくともサブセットを確立することを円滑にするために、発信基地局から圧縮コンテキストのサブセットを受信するための手段を含み得る。さらに、この無線通信装置は、基地局間ハンドオーバに先立って、またはその間に、圧縮コンテキストの少なくともサブセットを確立するために、圧縮コンテキストのサブセットを適用するための手段を含み得る。
【００２６】
さらもう１つの態様は、発信基地局から宛先基地局への移動体デバイスの基地局間ハンドオーバに先立って、またはその間に、圧縮コンテキストの少なくともサブセットを確立することを円滑にするために、発信基地局から圧縮コンテキストのサブセットを受信するために、および基地局間ハンドオーバに先立って、またはその間に、圧縮コンテキストの少なくともサブセットを確立するために、圧縮コンテキストのサブセットを適用するためのコードを備えたコンピュータ可読媒体を備えるコンピュータプログラム製品に関する。
【００２７】
もう１つの態様によれば、無線通信システムにおける装置は、プロセッサを含むことが可能であり、このプロセッサは、発信基地局から宛先基地局への移動体デバイスの基地局間ハンドオーバに先立って、またはその間に、圧縮コンテキストの少なくともサブセットを確立することを円滑にするために、発信基地局から圧縮コンテキストのサブセットを受信するように構成され得る。さらに、このプロセッサは、基地局間ハンドオーバに先立って、またはその間に、圧縮コンテキストの少なくともサブセットを確立するために、圧縮コンテキストのサブセットを適用するように構成され得る。
【００２８】
前述の目的および関係する目的を達成するために、１つまたは複数の実施形態は、以下で十分に説明され、特に、特許請求の範囲において指摘される特徴を備える。以下の説明および添付の図面は、１つまたは複数の実施形態のいくつかの例示的な態様を詳細に記載する。しかし、これらの態様は、様々な実施形態の原理が用いられることが可能な様々な方式のほんのいくつかを示し、説明される実施形態は、すべてのかかる態様およびそれらの均等物を含むことが意図される。
【図面の簡単な説明】
【００２９】
【図１】本明細書に記載される様々な態様による無線通信システムを例示する図。
【図２】本明細書で開示される様々な実施形態による、効率的な圧縮コンテキスト転送を円滑にし得る例示的な無線通信システムを示す図。
【図３】開示される主題の態様による、移動体デバイスに関連する通信を円滑にするために、発信基地局から宛先基地局への圧縮コンテキスト転送を円滑にし得る例示的なシステムを示す図。
【図４】開示される主題の態様による、移動体デバイスに関連する通信を円滑にするために、発信基地局から宛先基地局への圧縮コンテキスト転送を円滑にし得る例示的なシステムを示す図。
【図５】開示される主題の態様による、無線通信システムにおいて移動体デバイスに関連する通信を円滑にするために、宛先基地局への移動体デバイスのハンドオーバの間に、所望される圧縮コンテキストを宛先基地局に送信することを円滑にし得る例示的な方法論を示す図。
【図６】開示される主題の態様による、無線通信システムにおいて移動体デバイスに関連する通信を円滑にするために、宛先基地局への移動体デバイスのハンドオーバの間に、所望される圧縮コンテキストを宛先基地局に送信することを円滑にし得るもう１つの例示的な方法論を示す図。
【図７】開示される主題の態様による、無線通信システムにおいて移動体デバイスに関連する通信を円滑にするために、宛先基地局への移動体デバイスのハンドオーバの間に、所望される圧縮コンテキストを宛先基地局に送信することを円滑にし得る例示的な方法論を示す図。
【図８】ある基地局から別の基地局への移動体デバイスのハンドオーバにおける、ロバストヘッダ圧縮（ＲｏＨＣ）コンテキストの再確立による、解析的なエアインターフェースオーバヘッドの例示的なグラフ。
【図９】アクセスゲートウェイ（ａＧＷ）におけるＲｏＨＣと比較した追加のアップリンクＶｏＩＰレイテンシの例示的なグラフ。
【図１０】ａＧＷにおけるＲｏＨＣと比較した追加のアップリンクゲームレイテンシの例示的なグラフ。
【図１１】ＲＴＰプロファイルに関して、ＡＭＲ１２．２ｋｂｐｓに関する解析的なＲｏＨＣオーバヘッドの例示的なグラフ。
【図１２】ＲＴＰプロファイルに関して、１つのインターレースが割り当てられた状態で、ａＧＷにおけるＲｏＨＣと比較した追加のＶｏＩＰレイテンシの例示的なグラフ。
【図１３】ＲＴＰプロファイルに関して、２つのインターレースが割り当てられた状態で、ａＧＷにおけるＲｏＨＣと比較した追加のＶｏＩＰレイテンシを例示するグラフ１３００。
【図１４】ＵＤＰプロファイルに関して、１つのインターレースが割り当たられた状態で、ａＧＷにおけるＲｏＨＣと比較した追加のゲームレイテンシの例示的なグラフ１４００。
【図１５】ＵＤＰプロファイルに関して、２つのインターレースが割り当てられた状態で、ａＧＷにおけるＲｏＨＣと比較した追加のゲームレイテンシの例示的なグラフ１５００。
【図１６】開示される主題の態様による、無線通信システムにおいて移動体デバイスに関連する通信を円滑にし得る例示的な移動体デバイスを示す図。
【図１７】開示される主題の態様による、無線通信システムにおいて移動体デバイスに関連する通信を円滑にし得る例示的なシステムを示す図。
【図１８】本明細書で説明される様々なシステムおよび方法に関して用いられることが可能な例示的な無線ネットワークシステムを示す図。
【図１９】無線通信環境において移動体デバイスに関連する通信を円滑にし得る例示的なシステムを示す図。
【図２０】無線通信環境において移動体デバイスに関連する通信を円滑にし得るもう１つの例示的なシステムを示す図。
【発明を実施するための形態】
【００３０】
次に、その全体を通して、類似の要素を指すために類似の参照番号が使用される図面を参照して、様々な実施形態が説明される。以下の説明において、説明のために、１つまたは複数の実施形態の十分な理解をもたらす目的で、多数の特定の詳細が記載される。しかし、かかる（１つまたは複数の）実施形態は、これらの特定の詳細なしに実施され得ることは明らかであり得る。その他の場合、よく知られている構造およびデバイスは、１つまたは複数の実施形態の説明を円滑にする目的で、ブロック図の形で示される。
【００３１】
この出願で使用される場合、「構成要素」、「モジュール」、「システム」、「通信装置」、「コントローラ」、「検出器」、「呼掛器（interrogator）」、「インデックス」、「セレクタ」、「コンプレッサ」、「評価装置」、「データ格納」などの用語は、コンピュータ関連のエンティティ、すなわち、ハードウェア、ファームウェア、ハードウェアとソフトウェアの組合せ、ソフトウェア、または実行中のソフトウェアを指す場合がある。例えば、構成要素は、プロセッサ上で実行しているプロセス、プロセッサ、オブジェクト、実行可能物、実行のスレッド、プログラム、および／またはコンピュータであり得るが、これらであると限定されない。例示として、コンピューティングデバイス上で実行しているアプリケーションおよびコンピューティングデバイスは、両方とも構成要素であり得る。１つまたは複数の構成要素は、プロセスおよび／もしくは実行のスレッドの中に在局することが可能であり、構成要素は、１つのコンピュータ上に在局してよく、かつ／または２つ以上のコンピュータ同士の間で分散されてもよい。加えて、これらの構成要素は、様々なデータ構造を格納している様々なコンピュータ可読媒体から実行することが可能である。これらの構成要素は、１つもしくは複数のデータパケット（ローカルシステム内、分散システム内のもう１つの構成要素と相互作用している、かつ／または信号によってインターネットなどのネットワーク全域でその他のシステムと相互作用している１つの構成要素からのデータ）を有する信号に従ってなど、局所的プロセスおよび／あるいは遠隔プロセスによって通信することが可能である。
【００３２】
本明細書で説明される技術は、ＣＤＭＡ、ＴＤＭＡ、ＦＤＭＡ、ＯＦＤＭＡ、ＳＣ−ＦＤＭＡおよびその他のシステムなど、様々な無線通信システムに関して使用され得る。「システム」および「ネットワーク」という用語は、多くの場合、交換可能に使用される。ＣＤＭＡシステムは、ユニバーサル地上無線アクセス（ＵＴＲＡ）、ＣＤＭＡ２０００などの無線技術を実施することが可能である。ＵＴＲＡは、広帯域ＣＤＭＡ（Ｗ−ＣＤＭＡ）およびＣＤＭＡのその他の変更形態を含む。ＣＤＭＡ２０００は、ＩＳ−２０００標準、ＩＳ−９５標準、およびＩＳ−８５６標準を網羅する。ＴＤＭＡシステムは、移動体通信用グローバルシステム（ＧＳＭ）などの無線技術を実施することが可能である。ＯＦＤＭＡシステムは、進化型ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュＯＦＤＭＯなどの無線技術を実施することが可能である。ＵＴＲＡおよびＥ−ＵＴＲＡは、ユニバーサル移動体通信システム（ＵＭＴＳ）の一部である。３ＧＰＰロングタームエボリューション（ＬＴＥ）は、ダウンリンク上でＯＦＤＭＡを用い、アップリンク上でＳＣ−ＦＤＭＡを用いる、Ｅ−ＵＴＲＡを使用するＵＭＴＳの次のリリースである。ＵＴＲＡ、Ｅ−ＵＴＲＡ、ＵＭＴＳ、ＬＴＥ、およびＧＳＭは、「第３世代パートナーシッププロジェクト」（３ＧＰＰ）と名づけられた組織からの文書において説明される。ＣＤＭＡ２０００およびＵＭＢは、「第３世代パートナーシッププロジェクト２」（３ＧＰＰ２）と名づけられた組織からの文書において説明される。これらの様々な無線技術および無線標準は当技術分野で知られている。
【００３３】
さらに、移動体デバイスに関して、様々な実施形態が本明細書で説明される。移動体デバイスは、システム、加入者ユニット、加入者局、移動局、移動体、遠隔局、遠隔端末、アクセス端末、ユーザ端末、端末、無線通信デバイス、ユーザエージェント、ユーザデバイス、またはユーザ機器（ＵＥ）と呼ばれる場合もある。移動体デバイスは、セルラ電話、コードレス電話、セッション開始プロトコル（ＳＩＰ）電話、無線ローカルループ（ＷＬＬ）局、携帯情報端末（ＰＤＡ）、無線接続機能を有するハンドヘルドデバイス、コンピューティングデバイス、または無線モデムに接続されたその他の処理デバイスであり得る。さらに、基地局に関して、様々な実施形態が本明細書で説明される。基地局は、（１つまたは複数の）移動体デバイスと通信するために利用されることが可能であり、アクセスポイント、ノードＢ（例えば、進化型ノードＢ、ｅノードＢ、ｅＮＢ）、またはいくつかのその他の専門用語で呼ばれる場合もある。
【００３４】
さらに、本明細書で説明される様々な態様または特徴は、標準のプログラミング技術および／もしくはエンジニアリング技術を使用して、方法、装置、または製品として実装されることが可能である。さらに、本明細書で使用される場合、「製品」という用語は、任意のコンピュータ可読デバイス、キャリア、または媒体からアクセス可能なコンピュータプログラムを包括することが意図される。例えば、コンピュータ可読媒体は、磁気記憶装置（例えば、ハードディスク、フロッピー（登録商標）ディスク、磁気ストリップなど）、光ディスク（例えば、コンパクトディスク（ＣＤ）、ディジタル多目的ディスク（ＤＶＤ）など）、スマートカード、およびフラッシュメモリデバイス（例えば、ＥＰＲＯＭ、カード、スティック、キードライブなど）を含み得るが、これらに限定されない。加えて、本明細書で説明される様々な記憶媒体は、情報を格納するための１つもしくは複数のデバイスおよび／またはその他の機械可読媒体を表す場合がある。「機械可読媒体」という用語は、無線チャネルと、（１つもしくは複数の）命令および／またはデータを格納、包括ならびに／あるいは伝送することが可能な様々なその他の媒体とを含み得るが、これらであると限定されない。
【００３５】
図１は、本明細書で提示される様々な実施形態による無線通信システム１００を例示する。システム１００は、複数のアンテナグループを含み得る基地局１０２を備える。例えば、１つのアンテナグループは、アンテナ１０４および１０６を含むことが可能であり、別のグループは、アンテナ１０８および１１０を備えることが可能であり、追加のグループは、アンテナ１１２および１１４を含み得る。それぞれのアンテナグループに関して、２本のアンテナが例示されるが、それぞれのグループに関して、より多いアンテナまたはより少ないアンテナが利用され得る。当業者によって理解されるように、基地局１０２は、そのそれぞれが信号送信および信号受信に関連する複数の構成要素（例えば、プロセッサ、変調器、多重化装置、復調器、多重化復調器、アンテナなど）を備え得る送信機チェーンおよび受信機チェーンをさらに含むことが可能である。図１において、１つの基地局１０２が示されるが、開示される主題は、例えば、サービス提供基地局１０２および１つまたは複数の近傍の基地局１０２など、ネットワーク内に２つ以上の基地局を備えることが可能である点を理解されたい。
【００３６】
基地局１０２は、移動体デバイス１１６および移動体デバイス１２２など、１つまたは複数の移動体デバイスと通信することが可能であるが、基地局１０２は、移動体デバイス１１６および１２２に類似した、実質的に任意の数の移動体デバイスと通信することが可能である点を理解されたい。移動体デバイス１１６および１２２は、例えば、セルラ電話、スマートフォン、ラップトップ、ハンドヘルド通信デバイス、ハンドヘルドコンピューティングデバイス、衛星無線、全地球測位システム、ＰＤＡ、および／または無線通信システム１００上で通信するための任意のその他の適切なデバイスであり得る。示されるように、移動体デバイス１１６は、アンテナ１１２および１１４と通信中であり、この場合、アンテナ１１２および１１４は、順方向リンク１１８（例えば、ダウンリンク（ＤＬ））上で移動体デバイス１１６に情報を送信して、逆方向リンク１２０（例えば、アップリンク（ＵＬ））上で移動体デバイス１１６から情報を受信する。さらに、移動体デバイス１２２は、アンテナ１０４および１０６と通信中であり、この場合、アンテナ１０４および１０６は、順方向リンク１２４上で移動体デバイス１２２に情報を送信して、逆方向リンク１２６上で移動体デバイス１２２から情報を受信する。周波数分割デュプレックス（ＦＤＤ）システムでは、例えば、順方向リンク１１８は、逆方向リンク１２０によって使用される周波数帯域とは異なる周波数帯域を利用することが可能であり、順方向リンク１２４は、逆方向リンク１２６によって用いられる周波数帯域とは異なる周波数帯域を用いることが可能である。さらに、時分割デュプレックス（ＴＤＤ）システムでは、順方向リンク１１８および逆方向リンク１２０は、共通の周波数帯域を利用することが可能であり、順方向リンク１２４および逆方向リンク１２６は、共通の周波数帯域を利用することが可能である。
【００３７】
アンテナのそれぞれのグループおよび／または通信のためにそれらのアンテナが指定された領域は、基地局１０２のセクタと呼ばれる場合がある。例えば、アンテナグループは、基地局１０２によって網羅された領域のセクタ内で、移動体デバイス（例えば、１１６）に通信するように設計され得る。順方向リンク１１８よび１２４上の通信において、基地局１０２の送信アンテナは、移動体デバイス１１６ならびに１１２向けの順方向リンク１１８および１２４の信号対雑音比を改善するために、ビーム形成を利用することが可能である。また、基地局１０２は、関連する受信可能範囲の全体にわたってランダムに散乱された移動体デバイス１１６および１２２に送信するためにビーム形成を利用し、一方、隣り合うセル内の移動体デバイスは、すべてのその移動体デバイスに対して単一のアンテナを通じて送信している基地局と比較して、より少ない干渉を受ける可能性がある。
【００３８】
一般に、移動体デバイスに関連するある種の情報（例えば、データ、ヘッダ情報）は、無線通信環境において効率的な通信を円滑にするために送信される前に圧縮されることが可能である。例として、例えば、基地局と移動体デバイスの間で通信されるヘッダ（例えば、インターネットプロトコル（ＩＰ）ヘッダ、ユニフォームデータグラムプロトコル（ＵＤＰ）ヘッダ、リアルタイムトランスファープロトコル（ＲＴＰ）ヘッダ）などの情報を圧縮するためにロバストヘッダ圧縮（ＲｏＨＣ）エンジンが用いられることが可能である。情報を圧縮するためにＲｏＨＣ圧縮が利用される前に、基地局と移動体デバイスの間にＲｏＨＣコンテキストが確立されなければならない。通常、ある種の通信システム（例えば、ｌｘ、データオプティマイザ（ＤＯ）、（ＨＳＰＡ））において、ＲｏＨＣ機能は、基地局コントローラ（ＢＳＣ）内または基地局に関連する無線ネットワークコントローラ（ＲＮＣ）内に在局し、ＲｏＨＣコンテキストの再確立は、ＢＳＣ内ハンドオーバまたはＲＮＣ内ハンドオーバよりもより少ない頻度で発生するＢＳＣ間ハンドオーバまたはＲＮＣ間ハンドオーバに関してだけ必要とされる。
【００３９】
ＬＴＥ通信システムなど、ある種のその他の通信システムにおいて、パケットデータ収束プロトコル（ＰＤＣＰ）機能は、通常、アクセスゲートウェイ内ではなく、基地局（例えば、ｅノードＢ）内に在局する。結果として、ＲｏＨＣエンジンは、それぞれの基地局内に在局することが可能であり、ＲｏＨＣコンテキストは、ある基地局（例えば、ソース基地局）から別の基地局（例えば、宛先基地局）への移動体デバイスのそれぞれの基地局間ハンドオーバにおいて再確立されなければならない。これは、結果として、ＲｏＨＣコンテキストが再確立されるまで、移動体デバイスと宛先基地局の間で、ＩＰヘッダ、ＵＤＰヘッダ、およびＲＴＰヘッダなど、より大きなデータのパケットを圧縮されていない形態で送信させることになる。ＲｏＨＣが再確立された後で、情報は、ＲｏＨＣ機能に従って、移動体デバイスと宛先基地局の間でより望ましい圧縮形態で送信されることが可能である。それぞれのハンドオーバにおいてＲｏＨＣコンテキストを再確させることは、結果として、ボイスオーバＩＰ（ＶｏＩＰ）および移動体ネットワークゲームなど、いくつかのアプリケーションに関して、ハンドオーバ事象における品質またはユーザ経験の劣化を招く可能性があるかなりの容量損失および／またはレイテンシの増大をもたらし得る。
【００４０】
ある基地局から異なる基地局への移動体デバイスのハンドオーバが発生するとき、ハンドオーバを導く、移動体デバイスに対するメッセージがその移動体デバイスに送られる時間と、ハンドオーバが発生する時間の間に、通常、短い時間周期が存在する。送信向けのデータを圧縮することを円滑にするために、ＲｏＨＣコンテキストを確立することが望まれるため、ハンドオーバの間に、効率的な形で、ＲｏＨＣコンテキストを少なくとも部分的にまたは完全に再確立できることが望まれる。
【００４１】
移動体デバイス（例えば、１１６）と基地局１０２の間で送信される、圧縮（例えば、ＲｏＨＣ）コンテキストなどの情報は、圧縮静的コンテキスト、圧縮半静的コンテキスト、および圧縮動的コンテキストを備え得る。静的コンテキストは、通常、異なる基地局の全体にわたって変化しない情報および／または同じ情報である。静的コンテキストは、例えば、ＩＰヘッダ（例えば、インターネットプロトコルバージョン６（ＩＰｖ６）に関する、バージョン、フローラベル、次ヘッダ、発信元アドレス、宛先アドレスなど）、ＵＤＰヘッダ（例えば、ソースポート、宛先ポート）、および／またはＲＴＰヘッダ（例えば、バージョン拡張、同期ソース（ＳＳＲＣ）など）の一部を含み得る。半静的コンテキストは、例えば、トラフィッククラス、（例えば、ＩＰｖ６に関する）ホップリミット、および（例えば、ＲＴＰに関する）ペイロードタイプなど、ＩＰヘッダ、ＵＤＰヘッダ、ならびに／またはＲＴＰヘッダのその他の部分を含み得る。ＩＰヘッダ、ＵＤＰヘッダ、および／またはＲＴＰヘッダは、例えば、（例えば、ＵＤＰに関する）チェックサム、（例えば、ＲＴＰに関する）系列番号とタイムスタンプ、ならびに／または、ＴＳ＿ＳＴＲＩＤＥ（例えば、タイムスタンプストライド）とＴＩＭＥ＿ＳＴＲＩＤＥなどのＲＴＰ関連情報など、動的コンテキストも含み得る。
【００４２】
一実施形態によれば、主題のイノベーションは、移動体デバイスが発信基地局１０２から宛先基地局１０２にハンドオーバされている間に、圧縮コンテキストの少なくとも一部（例えば、圧縮静的コンテキストおよび／または圧縮半静的コンテキスト）を効率的に確立することを円滑にするために、発信基地局１０２から宛先基地局１０２への移動体デバイス（例えば、１１６、１２２）のハンドオーバ（例えば、基地局間ハンドオーバ）の間に、圧縮静的コンテキストおよび／または圧縮半静的コンテキストなど、圧縮コンテキストの少なくとも一部を発信基地局１０２（例えば、発信基地局１０２に関連するセル）から宛先基地局１０２（例えば、宛先基地局１０２に関連するセル）に転送することを円滑にし得る。
【００４３】
基地局内ハンドオーバ（例えば、サービス提供基地局１０２内のあるセルから、同じサービス提供基地局１０２内の別のセルへの移動体デバイス１１６のハンドオーバ）が発生するとき、圧縮コンテキスト転送は必要でない可能性がある点を認識および理解されたい。そのような場合、サービス提供基地局１０２は、圧縮コンテキストを維持することが可能である。
【００４４】
別の実施形態によれば、発信基地局１０２から宛先基地局１０２への移動体デバイス１１６のハンドオーバの間、発信基地局１０２は、宛先基地局１０２と移動体デバイス１１６の間に圧縮コンテキストを確立することを円滑にするために、移動体デバイス１１６に関するすべての圧縮コンテキスト情報（例えば、圧縮静的コンテキスト、圧縮半静的コンテキスト、および圧縮動的コンテキスト）、圧縮コンテキスト情報の所望される部分（例えば、圧縮静的コンテキストおよび圧縮半静的コンテキスト）を宛先基地局１０２に送信することが可能であり、または移動体デバイス１１６に関する圧縮コンテキスト情報を宛先基地局１０２に送信しなくてもよい。発信基地局１０２は、ハンドオーバインデックスなどのインデックスを移動体デバイス１１６に送信することも可能であり、この場合、このハンドオーバインデックスは、そのハンドオーバが基地局間ハンドオーバであるかまたは基地局内ハンドオーバであるかを特定することが可能である。このハンドオーバインデックスは、移動体デバイス１１６が、何のタイプのハンドオーバが発生しているか、および特定の基地局１０２と任意の圧縮コンテキストが再確立されることになるかどうかを決定することを可能にすることを円滑にし得る。一態様では、このハンドオーバインデックスは、基地局識別子であってよく、この場合、それぞれの基地局１０２は、関連する基地局１０２を識別するそれぞれの基地局識別子と関連づけられることが可能である。
【００４５】
別の態様では、（１つまたは複数の）インデックス（例えば、ハンドオーバインデックス、コンテキストインデックス）は、それぞれ、宛先基地局１０２への移動体デバイス１１６のハンドオーバの間に、発信基地局１０２による宛先基地局１０２への完全な圧縮コンテキスト転送が存在したか、部分的な圧縮コンテキスト転送（例えば、圧縮静的コンテキスト転送および圧縮半静的コンテキスト転送）が存在したか、または圧縮コンテキスト転送が存在しなかったかを示すことが可能である。例えば、（１つもしくは複数の）インデックス（例えば、指示機構）は、セッション構成または接続構成を介して送信されることが可能であり、所望に応じて、接続構成を更新するための機構を介して、あるいはハンドオーバコマンドを介して更新されることが可能である。圧縮コンテキストに関係するこのインデックスは、ハンドオーバが基地局間であるかもしくは基地局内であるかを示す同じインデックス（例えば、ハンドオーバインデックス）であってよく、または、コンテキストインデックスなど、ハンドオーバの間に圧縮コンテキスト転送に関する情報を宛先基地局１０２と関係付けることが可能な異なるインデックスであってもよい。
【００４６】
例えば、基地局間ハンドオーバの間に、発信基地局１０２から移動体デバイス１１６に送信され得るハンドオーバインデックスは、そのハンドオーバが、結果として、移動体デバイス１１６と宛先基地局１０２の間で圧縮コンテキストが再確立されなければならないことになり得る、基地局間ハンドオーバであることを特定することが可能であり、宛先基地局１０２への移動体デバイス１１６のハンドオーバに先立って、またはその間に、圧縮静的コンテキストおよび圧縮半静的コンテキストを備える圧縮コンテキストの部分が発信基地局１０２から宛先基地局１０２に転送されたこと、または転送されていることをさらに示すことが可能である。代替の例示として、基地局間ハンドオーバの間に、移動体デバイス１１６に送られたハンドオーバインデックスは、そのハンドオーバが、結果として、移動体デバイス１１６と宛先基地局１０２の間で圧縮コンテキストが再確立されなければならないことになり得る、基地局間ハンドオーバであることを特定することが可能であり、発信基地局１０２から移動体デバイス１１６に送信され得るコンテキストインデックスは、宛先基地局１０２への移動体デバイス１１６のハンドオーバに先立って、またはその間に、圧縮静的コンテキストおよび圧縮半静的コンテキストを備える圧縮コンテキストの部分が、発信基地局１０２から宛先基地局１０２に転送されたこと、または転送されていることを示すことが可能である。
【００４７】
図２を参照すると、本明細書で提示される様々な実施形態による、効率的な圧縮コンテキスト（例えば、ＲｏＨＣコンテキスト）転送を円滑にし得る無線通信システム２００を例示する。システム２００は、無線通信環境において移動体デバイス１１６にサービス提供しており、かつ移動体デバイス１１６に関する基地局であり得る発信基地局２０２を備え得る。発信基地局２０２は、移動体デバイス１１６にサービス提供しており、かつ移動体デバイス１１６に関するセルであり得る発信元セル２０４を含み得る。システム２００は、例えば、現在のサービス提供セル（例えば、発信元セル２０４）上で宛先基地局２０６のセル（例えば、宛先セル２０８）が所望されるとき、移動体デバイス１１６がハンドオーバされることが可能な基地局であり得る宛先基地局２０６も含み得る。そのような場合、移動体デバイス１１６は、発信元セル２０４から宛先セル２０８にハンドオーバされることが可能である。移動体デバイス１１６、発信基地局２０２、発信元セル２０４、宛先基地局２０６、および宛先セル２０８はそれぞれ、例えば、システム１００に関して、本明細書でより十分に説明されるような、それぞれの構成要素と同じでもしくは類似であってよく、かつ／あるいは当該構成要素と同じ機能性または類似の機能性を備え得る点を認識および理解されたい。
【００４８】
一実施形態によれば、システム２００は、発信元セル２０４から宛先セル２０８への移動体デバイス１１６のハンドオーバの間に、圧縮コンテキスト（例えば、ＲｏＨＣコンテキスト）の所望される部分を発信基地局２０２から宛先基地局２０６に効率的に転送することを円滑にすることが可能である。一態様では、移動体デバイス１１６は、発信基地局２０２の発信元セル２０４と通信的に接続（例えば、無線接続）され得る。移動体デバイス１１６は、データが発信基地局２０２と移動体デバイス１１６の間で送信されるとき、圧縮の使用を円滑にする目的で、発信基地局２０２と圧縮コンテキストを確立することを円滑にするために、所望される数（例えば、１個、２個、３個、．．．）の初期化およびリフレッシュ（ＩＲ）パケット（initialization and refresh (IR) packet）を発信基地局２０２に送信することが可能であり、この場合、それぞれのＩＲパケットは、圧縮静的コンテキスト、圧縮半静的コンテキスト、および圧縮動的コンテキストなどの情報を含み得る。通常、少なくとも１個のＩＲパケットが発信基地局２０２の圧縮解除装置に達することを確実にするために、２個以上のＩＲパケット（例えば、２個のＩＲパケット、３個のＩＲパケット）が送信される。圧縮コンテキストを確立するために、（例えば、ＩＰおよびＵＤＰと共に、ＲＴＰが用いられる場合）所望される数の圧縮ＲＴＰプロファイルデータパケットおよび／または（例えば、ＩＰおよびＵＤＰと共に、ＲＴＰが用いられない場合）圧縮ＵＤＰプロファイルデータパケットが、例えば、移動体デバイス１１６から発信基地局２０２に送信されることが可能であり、この場合、圧縮ＲＴＰプロファイルデータパケットおよび／または圧縮ＵＤＰプロファイルデータパケットは、所望される数のＩＲパケットならびにその他の情報（例えば、ＵＯＲ２Ｅｘｔ３情報）を備え得る。さらに、所望に応じて、タイプ２Ｅｘｔ３パケット内に含まれるような追加の情報が送られることも可能である。例として、例えば、ＩＰヘッダフラグ、ＲＴＰペイロードタイプなど、ＩＰヘッダに対する変更を示すために、かつ／またはＴＳ＿ＳＴＲＩＤＥ（例えば、連続するパケット同士の間のＲＴＰタイムスタンプの差）を伝送するために、タイプ２Ｅｘｔ３パケットが使用され得る。圧縮ＲＴＰプロファイルデータパケット内および／またはＲｏＨＣ  ＵＤＰプロファイルデータパケット内の情報は、発信基地局２０２と移動体デバイス１１６の間で送信されたデータの圧縮／圧縮解除を円滑にする目的で、圧縮コンテキストを確立するために、発信基地局２０２のコンプレッサ（例えば、コンプレッサおよび圧縮解除装置を備えるコンプレッサ）によって使用され得る。
【００４９】
移動体デバイス１１６は、セル（例えば、発信基地局２０２の発信元セル２０４などのセル、宛先基地局２０６の宛先セル２０８などのセル）のそれぞれの信号強度を連続的に監視および測定することが可能であり、あるセルから別のセルへの移動体デバイス１１６のハンドオーバが発生することになるかどうかを決定することを円滑にするために、その信号強度情報を発信基地局２０２に提供することが可能である。発信基地局２０２が、移動体デバイス１１６のハンドオーバが発生することを決定したとき、発信基地局２０２は、移動体デバイス１１６が発信元セル２０４から別のセルに交換することになるというメッセージを移動体デバイス１１６に送信することが可能であり、この場合、このメッセージは、そのハンドオーバがそのメッセージの時間から所定の時間周期（例えば、１００ミリ秒（ｍｓ））で発生することになる旨を示すことが可能である。
【００５０】
一態様によれば、発信基地局２０２が、ハンドオーバが発生することになり、そのハンドオーバ（例えば、基地局間ハンドオーバ）が発信基地局２０２のセル（例えば、発信元セル２０４）から宛先基地局２０６の宛先セル２０８に対することを決定した場合、発信基地局２０２は、宛先基地局２０６と移動体デバイス１１６の間で圧縮コンテキストを確立することを円滑にするために、圧縮静的コンテキストおよび圧縮半静的コンテキスト（例えば、ＲｏＨＣ静的コンテキストおよびＲｏＨＣ半静的コンテキスト）など、移動体デバイス１１６に関係する圧縮コンテキストの所望される部分を宛先基地局２０６に送信することが可能である。宛先基地局２０６は、宛先基地局２０６への移動体デバイス１１６のハンドオーバの間に、移動体デバイス１１６と宛先基地局２０６（および宛先セル２０８）の間に圧縮コンテキストを確立し始めるために、受信された圧縮静的コンテキストおよび圧縮半静的コンテキストを利用する事が可能である。
【００５１】
別の態様では、発信基地局２０２は、そのハンドオーバが基地局間ハンドオーバであるかもしくは基地局内ハンドオーバであるかを移動体デバイス１１６に示すことが可能な（１つまたは複数の）インデックス（例えば、基地局識別子などのハンドオーバインデックス、コンテキストインデックス）を移動体デバイス１１６に送信することも可能であり、かつ／または、もしある場合、発信基地局２０２によって宛先基地局２０６に送られた（または送られている）圧縮コンテキストの部分（例えば、圧縮静的コンテキストおよび圧縮半静的コンテキスト）を特定し、圧縮コンテキスト転送が存在する場合、移動体デバイス１１６は、圧縮コンテキストを確立することを円滑にするために、ハンドオーバの後で、宛先基地局２０６と移動体デバイス１１６の間で圧縮コンテキストのすべて（例えば、圧縮静的コンテキスト、圧縮半静的コンテキスト、および圧縮動的コンテキスト）を確立する必要がなく、代わりに、移動体デバイス１１６は、宛先基地局２０６と移動体デバイス１１６の間で完全な圧縮コンテキストを確立する目的で、圧縮動的情報など、所望される（例えば、依然として確立されたることになる）圧縮コンテキストの部分を確立することを円滑し得ることを示すことが可能である。
【００５２】
一態様では、所望される（１つまたは複数の）インデックス（例えば、基地局識別子などのハンドオーバインデックス、コンテキストインデックス）は、ハンドオーバメッセージの一部として提供されることが可能であり、またはハンドオーバメッセージが移動体デバイス１１６に送られる前またはその後に、移動体デバイス１１６に送られることが可能な異なるメッセージ内で送信されることも可能である。例えば、基地局識別子は、そのハンドオーバが異なる基地局（例えば、宛先基地局２０６）のセル（例えば、宛先セル２０８）に対することを移動体デバイス１１６に示すために使用されることが可能である。基地局識別子は、例えば、一次ブロードキャストチャネル（一次ＢＣＨ）を経由して、または発信基地局２０２から移動体デバイス１１６へのハンドオーバコマンドを経由して送信されることが可能である。特定の基地局内のそれぞれのセルは、異なる基地局のセルによって送信された基地局識別子と異なり得る同じ基地局識別子を送信することが可能である。結果として、移動体デバイス１１６が発信基地局２０２から宛先基地局２０６に関連する基地局識別子を受信するとき、その基地局識別子は、基地局間ハンドオーバが発生していること、圧縮コンテキストが宛先基地局２０６と再確立されるべきであること、ならびに／または圧縮コンテキストの所望される部分（例えば、少なくとも圧縮静的コンテキストおよび／または圧縮半静的コンテキスト）が発信基地局２０２によって宛先基地局２０６に送信されていることを示すことが可能であり、移動体デバイス１１６は、宛先基地局２０６と完全な圧縮コンテキスト転送を実行しなくてよく、代わりに、移動体デバイス１１６は、宛先基地局２０６と移動体デバイス１１６の間で残りの圧縮コンテキスト（例えば、圧縮動的コンテキスト）を確立することを円滑にすることが可能であり、この場合、この残りの圧縮コンテキストは、発信基地局２０２によって宛先基地局２０２に送られなかった圧縮コンテキストであり得る。
【００５３】
別の実施形態によれば、システム２００は、移動体デバイス１１６と宛先基地局２０６の間で圧縮コンテキストを確立することを円滑にするために、発信基地局２０２から宛先基地局２０６への移動体デバイス１１６のハンドオーバの間に、すべての圧縮コンテキスト（例えば、圧縮静的コンテキスト、圧縮半静的コンテキスト、および圧縮動的コンテキスト）であってよく、圧縮コンテキストの一部（例えば、圧縮静的コンテキストおよび圧縮半静的コンテキスト）であってもよい圧縮コンテキスト（例えば、ＲｏＨＣコンテキスト）の所望される部分を宛先基地局２０６に送信するために、または圧縮コンテキストを宛先基地局２０６に送信しないために、発信基地局２０２を用いることを円滑にし得る。一態様では、発信基地局２０２は、それぞれ、発信基地局２０２による宛先基地局２０６への完全な圧縮コンテキスト転送が存在したか、部分的な圧縮コンテキスト転送（例えば、圧縮静的コンテキスト転送および圧縮半静的コンテキスト転送）が存在したか、あるいは圧縮コンテキスト転送が存在しなかったかを示すことが可能な、（１つもしくは複数の）インデックス（例えば、ハンドオーバインデックスおよび／またはコンテキストインデックス）を移動体デバイス１１６に送信することも可能である。例えば、（１つもしくは複数の）インデックス（例えば、指示機構）は、セッション構成または接続構成を介して送信されることが可能であり、所望に応じて、接続構成を更新するための機構を介して、あるいはハンドオーバコマンドを介して更新されることが可能である。
【００５４】
シグナリングは、発信基地局２０２から宛先基地局２０６に圧縮静的コンテキストおよび圧縮半静的コンテキストを送るのではなく、発信基地局２０２から宛先基地局２０６に完全な圧縮コンテキスト（例えば、圧縮静的コンテキスト、圧縮半静的コンテキスト、および動的コンテキスト）を送ることを試みる場合、相当より複雑になり得る点を理解されたい。例えば、完全なコンテキスト転送は、結果として、ある種の動的フィールド（例えば、ＲＴＰ、系列番号（ＳＮ）、タイムスタンプ（ＴＳ）、．．．）に関して基準窓内の値が転送されなければならない可能性がある、基準窓のサイズが異なる実装形態間で異なる可能性がある、および／または、楽観的な手法（ＯＡ）などの一般的なＲｏＨＣパラメータｋ１、ｎ１、ｋ２、ｎ２が転送されなければならない可能性がある、ならびにこれらのフィールドのいくつかまたはすべてが異なる実装形態間で異なる値を有する可能性があるなど、相互運用性の課題を処理しなければならない場合がある。結果として、発信基地局による宛先基地局への完全な圧縮コンテキスト転送の効率費用は、望ましくない可能性があり、かつ／または費用が法外な可能性がある。したがって、圧縮静的コンテキストおよび圧縮半静的コンテキストは転送するが、圧縮動的コンテキスは転送しないことが望まれる場合がある。そのような場合、効率利得は非常に高い可能性があり、一方、主題のイノベーションのかかる態様を実装する複雑さは、比較すると相対的に低い可能性がある。
【００５５】
主題のイノベーションは、移動体デバイスが発信基地局２０２の発信元セル２０４から宛先基地局２０８の宛先セル２０８にハンドオーバされた後で、圧縮コンテキスト（例えば、ＲｏＨＣコンテキスト）を効率的に再構成することを円滑にし得る。例えば、圧縮コンテキストは、圧縮コンテキストを確立するための通常のシステムまたは技術よりも、移動体デバイス１１６と宛先基地局２０６の間でより迅速に確立されることが可能である。別の例示として、通常のシステムまたは技術と比較して、発信基地局２０２の発信元セル２０４から宛先基地局２０８の宛先セル２０８へのハンドオーバの間に、容量損失および／またはレイテンシの低減が存在し得る。
【００５６】
図３を参照すると、示されるのは、開示される主題の態様による、移動体デバイスに関連する通信を円滑にするために、発信基地局から宛先基地局への圧縮コンテキスト転送を円滑にし得る例示的なシステム３００である。システム３００は、無線通信環境において、移動体デバイス１１６にサービス提供しており、かつ移動体デバイス１１６に関する基地局であり得る発信基地局２０２を備え得る。発信基地局２０２は、移動体デバイス１１６にサービス提供しており、かつ移動体デバイス１１６に関するセルであり得る発信元セル２０４を含み得る。例えば、宛先基地局２０６のセル（例えば、宛先セル２０８）が、現在のサービス提供セル（例えば、発信元セル２０４）に勝って所望される場合、システム３００は、移動体デバイス１１６がハンドオーバされることが可能な基地局であり得る宛先基地局２０６も含み得る。そのような場合、移動体デバイス１１６は、発信元セル２０４から宛先セル２０８にハンドオーバされることが可能である。移動体デバイス１１６、発信基地局２０２、発信元セル２０４、宛先基地局２０６、および宛先セル２０８はそれぞれ、例えば、システム１００およびシステム２００に関して、本明細書でより十分に説明されるような、それぞれの構成要素と同じでもしくは類似であってよく、かつ／あるいは当該構成要素と同じ機能性または類似の機能性を備え得る点を認識および理解されたい。
【００５７】
一態様によれば、移動体デバイス１１６は、（１つもしくは複数の）基地局（例えば、発信基地局２０２、宛先基地局２０６）および／またはシステム３００に関連するその他のデバイスから情報を送信ならびに／あるいは受信することを円滑にすることが可能な通信装置３０２を備え得る。例えば、通信装置３０２は、移動体デバイス１１６に関連する通信を円滑にする（例えば、圧縮コンテキストが移動体デバイス１１６と基地局の間で確立され得る）ために、データ、それぞれのセルの信号強度、インデックス情報（例えば、受信コンテキストインデックスもしくは基地局識別子）、圧縮コンテキスト（例えば、ＲｏＨＣコンテキスト）、識別情報、ならびに／またはその他の情報を発信基地局２０２および／もしくは宛先基地局２０６に送信すること、かつ／あるいは発信基地局２０２および／もしくは宛先基地局２０６から受信することが可能である。
【００５８】
例えば、発信基地局２０２から宛先基地局２０６への移動体デバイス１１６の基地局間ハンドオーバの間に、通信装置３０２は、ハンドオーバインデックスおよび／もしくはコンテキストインデックスなど、基地局間ハンドオーバが発生しているかまたは基地局内ハンドオーバが発生しているかを示すことが可能であり、かつ／あるいは発信基地局２０２が宛先基地局２０６にある種の圧縮コンテキスト（例えば、ＲｏＨＣ静的コンテキストおよびＲｏＨＣ半静的コンテキスト）を送信したか、または送信しているかを特定することが可能な（１つもしくは複数の）インデックスを発信基地局２０２から受信することが可能である。移動体デバイス１１６は、受信された（１つもしくは複数の）インデックスに少なくとも一部基づいて、ハンドオーバに先立って、またはその間に、ハンドオーバのタイプおよび／あるいはどの程度まで圧縮コンテキストが発信基地局２０２によって宛先基地局２０６に送信されたか、または送信されているかを決定することが可能である。例えば、受信されたインデックスは、そのハンドオーバが、その場合、圧縮コンテキストが再確立されるべきである、宛先基地局２０８の宛先セル２０８への基地局間ハンドオーバであることを移動体デバイス１１６に示すように設定されることが可能であり、宛先基地局２０６への移動体デバイス１１６のハンドオーバの間に、発信基地局２０２が、圧縮静的コンテキストおよび圧縮半静的コンテキストを宛先基地局２０６に送っていることをさらに特定することが可能である。移動体デバイス１１６は、かかる受信されたインデックスに少なくとも一部基づいて、その圧縮静的コンテキストおよび圧縮半静的コンテキストが移動体デバイス１１６と宛先基地局２０６の間ですでに確立されることになる旨を決定することが可能であり、ハンドオーバの後で、移動体デバイス１１６は、宛先基地局２０６と完全な圧縮コンテキストをセットアップすることを完了するために、圧縮動的コンテキストだけを確立しなければならないことになる。通信装置３０２は、宛先基地局２０６と圧縮コンテキストを確立することを完了するために、移動体デバイス１１６と宛先基地局２０６の間で圧縮動的コンテキスト転送を円滑にすることが可能である。
【００５９】
もう１つの態様では、移動体デバイス１１６は、移動体デバイス１１６の付近に配置された１つまたは複数のセル（例えば、ソースセル２０４、宛先セル２０８、（１つもしくは複数の）別のセル）の信号強度を検出、監視、および／あるいは測定することが可能な検出器３０４も含み得る。通信装置３０２は、ハンドオーバに関する決定を円滑にするために、検出されたセルに関する情報をサービス提供セル（例えば、ソースセル２０４）に送信することが可能である。移動体デバイス１１６は、それを用いて、移動体デバイス１１６による通信が、サービス提供基地局（例えば、発信基地局２０２）のセル（例えば、ソースセル２０４）から受信された、所望されるセルの選択または当該セルへの移動体デバイス１１６の交換を示すメッセージに少なくとも一部基づいて円滑にされ得る、所望される基地局（例えば、宛先基地局２０６）の所望されるセル（例えば、宛先セル２０８）を選択することまたは当該セルに交換することを円滑にし得るセレクタ３０６を備えることが可能である。
【００６０】
さらにもう１つの態様では、移動体デバイス１１６は、無線通信環境において、移動体デバイス１１６による効率的な通信を円滑にするために、データ、ヘッダ情報などを圧縮および／または圧縮解除することを円滑にすることが可能なコンプレッサ３０８を含み得る。一実施形態によれば、コンプレッサ３０８は、例えば、移動体デバイス１１６と基地局（例えば、宛先基地局２０６）の間でＲｏＨＣコンテキストが確立されるとき、または少なくとも部分的に確立される（例えば、ＲｏＨＣ静的コンテキストおよびＲｏＨＣ半静的コンテキストが確立される）とき、ヘッダ情報（例えば、ＩＰヘッダ、ＵＤＰヘッダ、ＲＴＰヘッダ）などの情報の圧縮および／または圧縮解除（例えば、送信されることになる情報の圧縮、受信された情報の圧縮解除）を円滑にするために、ＲｏＨＣを用いることが可能なＲｏＨＣエンジンを備え得る。
【００６１】
別の態様では、移動体デバイス１１６は、データ、インデックス情報、圧縮コンテキスト（例えば、ＲｏＨＣコンテキスト）、信号強度、識別情報、近傍のセルリスト、および／もしくは基地局（例えば、発信基地局２０２、宛先基地局２０６）とセル（例えば、ソースセル２０４、宛先セル２０８）に関するその他の情報、ならびに／または無線通信環境における移動体デバイス１１６と通信に関する情報などの情報を格納することが可能なデータ格納３１０を備え得る。例えば、発信基地局２０２の発信元セル２０４から宛先基地局２０６の宛先セル２０８への移動体デバイスの基地局間ハンドオーバが発生するとき、移動体デバイス１１６は、宛先基地局２０６と圧縮コンテキストを確立することを円滑にするために、圧縮コンテキストの一定の部分（例えば、ＲｏＨＣ動的コンテキスト）などの情報をデータ格納３１０から取り出して、その取り出された情報、またはその一部を、宛先基地局２０６に送信することが可能である。
【００６２】
一態様によれば、本明細書で説明されるデータ格納３１０は、揮発性メモリおよび／または不揮発性メモリを備え得る。限定ではなく、例示として、不揮発性メモリは、読出し専用メモリ（ＲＯＭ）、プログラマブルＲＯＭ（ＰＲＯＭ）、電気的なプログラマブルＲＯＭ（ＥＰＲＯＭ）、電気的に消去可能なＰＲＯＭ（ＥＥＰＲＯＭ）、フラッシュメモリ、および／または不揮発性ランダムアクセスメモリ（ＮＶＲＡＭ）を含み得る。揮発性メモリは、外部のキャッシュメモリとして機能することが可能なランダムアクセスメモリ（ＲＡＭ）を含み得る。限定ではなく、例示として、ＲＡＭは、同期ＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、拡張ＳＤＲＡＭ（ＥＳＤＲＡＭ）、シンクリンクＤＲＡＭ（ＳＬＤＲＡＭ）、およびダイレクトランバスＲＡＭ（ＤＲＲＡＭ）など、多くの形態で利用可能である。データ格納３１０は、これらのタイプのメモリおよび任意のその他の適切なタイプのメモリに限定されていることなく、これらのタイプのメモリおよび任意のその他の適切なタイプのメモリを含むことが意図される。
【００６３】
図４を参照すると、例示されるのは、開示される主題の態様による、移動体デバイスに関連する通信を円滑にするために、発信基地局から宛先基地局への圧縮コンテキスト転送を円滑にし得る例示的なシステム４００である。システム４００は、無線通信環境において移動体デバイス１１６にサービス提供しており、かつ移動体デバイス１１６に関する基地局であり得る発信基地局２０２を備え得る。発信基地局２０２は、移動体デバイス１１６にサービス提供しており、かつ移動体デバイス１１６に関するセルであり得る（図４に示されない）発信元セル２０４を含み得る。システム４００は、例えば、現在のサービス提供セル（例えば、発信元セル２０４）に勝って宛先基地局２０６のセル（例えば、宛先セル２０８）が所望されるとき、移動体デバイス１１６がハンドオーバされることが可能な基地局であり得る宛先基地局２０６も含み得る。そのような場合、移動体デバイス１１６は、発信元セル２０４から（図４に示されない）宛先セル２０８にハンドオーバされることが可能である。また、発信基地局２０２および／または宛先基地局２０８は、（１つもしくは複数の）別の基地局、（１つもしくは複数の）セル、ならびに／あるいは、例えば、認証、許可などの機能を実行し得る任意の異なるデバイス（例えば、サーバ）（図示せず）と通信することが可能である。移動体デバイス１１６、発信基地局２０２、発信元セル２０４、宛先基地局２０６、および宛先セル２０８はそれぞれ、例えば、システム１００、システム２００、およびシステム３００に関して、本明細書でより十分に説明されるような、それぞれの構成要素と同じでもしくは類似であってよく、かつ／あるいは当該構成要素と同じ機能性または類似の機能性を備え得る点を認識および理解されたい。
【００６４】
移動体デバイス１１６は、発信基地局２０２と通信的に接続される（例えば、無線接続される）ことが可能であり、この場合、接続は、例えば、データチャネルおよび制御チャネルを備え得る。一態様では、発信基地局２０２は、移動体デバイス１１６に情報を送信すること、および／または移動体デバイス１１６から情報を受信することが可能であり、この場合、情報は、例えば、インデックス情報（例えば、送信コンテキストインデックス）、ハンドオーバコマンド、セルのそれぞれの信号強度、圧縮コンテキスト情報（例えば、ＲｏＨＣコンテキスト）、および／あるいは発信基地局２０２、移動体デバイス１１６、宛先基地局２０６、またはシステム４００に関連するその他の構成要素もしくはデバイスに関連するその他の情報を含み得る。
【００６５】
一態様では、発信基地局２０２は、発信基地局２０２と移動体デバイス１１６の間で、および／または発信基地局２０２と宛先基地局２０６の間で、ならびに／あるいは基地局とシステム４００に関連するその他の構成要素もしくはデバイス（図示せず）の間で情報の通信を円滑にし得る通信装置４０２を含み得る。例えば、宛先基地局２０６の宛先セル２０８への移動体デバイス１１６の基地局間ハンドオーバの間に、通信装置４０２は、圧縮コンテキストの所望される部分（例えば、圧縮静的コンテキストおよび圧縮半静的コンテキスト）を発信基地局２０２から宛先基地局２０６に送信することを円滑にし得る。通信装置４０２は、ハンドオーバが基地局間であるかもしくは基地局内であるかを示すことが可能であり、かつ／あるいは、ハンドオーバに先立って、もしくはその間に、圧縮コンテキスト、および／または圧縮コンテキストの何の部分が発信基地局２０２によって宛先基地局２０６に送信されるかを示すことが可能な、１つもしくは複数のインデックス（例えば、ハンドオーバインデックス、コンテキストインデックス）を移動体デバイス１１６に送信することも円滑にし得る。
【００６６】
別の態様では、発信基地局２０２は、送信のために情報を解析することおよび／または情報を生成することを円滑にすることが可能な、かつ／あるいは発信基地局２０２の１つもしくは複数の構成要素を制御することが可能な１つもしくは複数のプロセッサ、マイクロプロセッサ、ならびに／あるいはコントローラを備え得るコントローラ４０４を備えることが可能である。一態様では、コントローラ４０４は、例えば、データ圧縮（例えば、ＲｏＨＣ）など、様々なプロトコルを用いることが可能な、領域ノードコントローラ（regional node controller）（ＲＮＣ）を備え得る。
【００６７】
さらにもう１つの態様では、発信基地局２０２は、無線通信環境において、移動体デバイス１１６との効率的な通信を円滑にするために、データ、ヘッダ情報などを圧縮および／または圧縮解除することを円滑にし得るコンプレッサ４０６を含み得る。一実施形態によれば、コンプレッサ４０６は、例えば、発信基地局２０２と移動体デバイス１１６の間でＲｏＨＣコンテキストが確立されるとき、または少なくとも部分的に確立される（例えば、ＲｏＨＣ静的コンテキストおよびＲｏＨＣ半静的コンテキストが確立される）とき、ヘッダ情報（例えば、ＩＰヘッダ、ＵＤＰヘッダ、ＲＴＰヘッダ）などの情報の圧縮および／または圧縮解除（例えば、送信されることになる情報の圧縮、受信された情報の圧縮解除）を円滑にするために、ＲｏＨＣを用いることが可能なＲｏＨＣエンジンを備え得る。
【００６８】
さらにもう１つの態様では、発信基地局２０２は、異なるセル（例えば、宛先セル２０８）への移動体デバイス１１６のハンドオーバの間に、コンテキストインデックスまたは基地局識別子などのインデックス情報を移動体デバイス１１６に提供することを円滑にすることが可能なインデックス４０８を含み得る。このインデックス情報は、移動体デバイス１１６が、移動体デバイス１１６と宛先セル２０８の間で圧縮コンテキストを確立することを円滑にする目的で、圧縮コンテキスト情報（例えば、圧縮静的コンテキストおよび圧縮半静的コンテキスト）を宛先基地局２０６（例えば、宛先基地局２０６の宛先セル２０８）に送信しているかまたは送信したか、かつどの程度まで送信しているかまたは送信したかを決定することを可能にすることを円滑にし得る。
【００６９】
さらにもう１つの態様では、発信基地局２０２は、発信基地局２０２と移動体デバイス１１６の間で圧縮コンテキストを確立することを円滑にするために、圧縮コンテキスト情報などの情報を解析または評価することが可能な評価装置４１０を備え得る。評価装置４１０は、移動体デバイス１１６を宛先セル２０８にハンドオーバするかどうかに関する決定を円滑にするために、受信された信号強度情報に一部基づいて、セルのそれぞれの信号強度を評価するなど、その他の評価機能を実行することも可能である。発信基地局２０２は、セレクタ４１２をさらに含むことが可能であり、評価装置４１０は、信号強度の（１つまたは複数の）評価からの結果をセレクタ４１２に提供することが可能である。セレクタ４１２は、移動体デバイス１１６が別のセル（例えば、宛先セル２０８）にハンドオーバされるべきか、または発信基地局２０２のサービス提供セル（例えば、発信元セル２０４）が移動体デバイス１１６にサービス提供し続けるかを決定することが可能であり、ハンドオフが発生することが決定された場合、事前に定義された選択基準（例えば、その他のセルと比較したセルの信号強度のレベル、基地局のタイプ、移動体デバイスに対するセルのそれぞれの位置など）に少なくとも一部基づいて、所望されるセルを選択することが可能である。
【００７０】
さらにもう１つの態様では、発信基地局２０２は、データ、インデックス情報、圧縮コンテキスト（例えば、ＲｏＨＣコンテキスト）、信号強度情報、識別情報、近傍のセルリスト、および／または（１つもしくは複数の）基地局（例えば、発信基地局２０２、宛先基地局２０６）に関するその他の情報、移動体デバイス１１６に関する情報、ならびに／あるいはそれとも無線通信環境における通信に関する情報などの情報を格納することが可能なデータ格納４１４を含み得る。例えば、発信基地局２０２の発信元セル２０４から宛先基地局２０６の宛先セル２０８への移動体デバイス１１６の基地局間ハンドオーバが発生するとき、発信基地局２０２は、宛先基地局２０６と移動体デバイス１１６の間で圧縮コンテキストを確立することを円滑にするために、移動体デバイス１１６に関する圧縮コンテキスト（例えば、圧縮静的コンテキストおよび圧縮半静的コンテキスト）などの情報をデータ格納４１４から取り出して、その取り出された情報、またはその一部を宛先基地局２０６に送信することが可能である。さらに、発信基地局２０２は、発信基地局２０２が宛先基地局２０６に圧縮コンテキスト情報を送信しているかもしくは送信したか、またはどの程度まで送信しているかもしくは送信したかに少なくとも一部基づいて、データ格納４１４からインデックス情報を取り出すことが可能であり、宛先基地局２０６と移動体デバイス１１６の間で圧縮コンテキストを確立することを円滑にするために、移動体デバイス１１６にインデックス情報を送信することが可能である。
【００７１】
一態様によれば、本明細書で説明されるデータ格納４１４は、揮発性メモリおよび／または不揮発性メモリを備え得る。限定ではなく、例示として、不揮発性メモリは、読出し専用メモリ（ＲＯＭ）、プログラマブルＲＯＭ（ＰＲＯＭ）、電気的なプログラマブルＲＯＭ（ＥＰＲＯＭ）、電気的に消去可能なＰＲＯＭ（ＥＥＰＲＯＭ）、フラッシュメモリ、および／または不揮発性ランダムアクセスメモリ（ＮＶＲＡＭ）を含み得る。揮発性メモリは、外部のキャッシュメモリとして機能し得るランダムアクセスメモリ（ＲＡＭ）を含み得る。限定ではなく、例示として、ＲＡＭは、同期ＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、拡張ＳＤＲＡＭ（ＥＳＤＲＡＭ）、シンクリンクＤＲＡＭ（ＳＬＤＲＡＭ）、およびダイレクトランバスＲＡＭ（ＤＲＲＡＭ）など、多くの形態で利用可能である。データ格納４１４は、これらのタイプのメモリおよび任意のその他の適切なタイプのメモリに限定されていることなく、これらのタイプのメモリおよび任意のその他の適切なタイプのメモリを含むことが意図される。
【００７２】
さらにもう１つの態様では、宛先基地局２０６は、それぞれが、例えば、システム１００、システム２００、システム３００、およびシステム４００のそれぞれの構成要素（例えば、発信基地局２０２のそれぞれの構成要素）に関して、本明細書でより十分に説明されるのと同じ機能性または類似の機能性を有する通信装置４０２、コントローラ４０４、コンプレッサ４０６、インデックス４０８、評価装置４１０、セレクタ４１２、およびデータ格納４１４を備え得る。例えば、宛先基地局２０６の通信装置４０２は、発信元セル２０４から宛先基地局２０６の宛先セル２０８への移動体デバイス１１６のハンドオーバの間に、特定された圧縮コンテキスト（例えば、圧縮静的コンテキストおよび圧縮半静的コンテキスト）を発信基地局２０２から受信することが可能である。宛先基地局２０６のコントローラ４０４は、受信されたコンテキストの部分に基づいて、圧縮コンテキスト、またはその一部を確立することを円滑にするために、受信された圧縮コンテキストを適用することを円滑にし得る。宛先基地局２０６の評価装置４１０は、コンテキストが完全に確立されたかどうかを決定することを円滑にすることが可能であり、そうでない場合、確立されることが所望される残りのコンテキストを決定することを円滑にすることが可能である。宛先基地局２０６の通信装置４０２は、宛先基地局２０６と移動体デバイス１１６の間で確立されることになる残りの圧縮コンテキスト（例えば、圧縮動的コンテキスト）の通信を円滑にすることも可能である。
【００７３】
図５〜７を参照すると、ネットワーク（例えば、基地局、コアネットワーク）において移動体デバイスによる通信を円滑にする目的で、基地局（例えば、宛先基地局２０６）への移動体デバイス（例えば、１１６）のハンドオーバの後に、所望される圧縮コンテキストを確立することを円滑にするために、移動体デバイスと基地局（例えば、宛先基地局２０６）の間で圧縮コンテキストを効率的に確立することと、発信基地局２０２が圧縮コンテキストを宛先基地局２０６に送信したかどうか、かつどの程度送信したかに関する（１つまたは複数の）インデックスを提供することとに関する方法論が例示される。説明を簡単にするために、これらの方法論は、一連の活動として示され、説明されるものの、１つもしくは複数の実施形態によれば、一部の活動は、本明細書で示され、説明される活動と異なる順序でかつ／または本明細書で示され、説明される活動と異なる活動と同時に発生するため、これらの方法論は、活動の順序によって限定されない点を理解および認識されたい。例えば、当業者は、方法論は、あるいは、状態図など、一連の相互に関係する状態または事象として表されることが可能である点を理解および認識されよう。さらに、１つまたは複数の実施形態に従って方法論を実装するために、すべての例示される活動が必要とされるとは限らない可能性がある。
【００７４】
図５を参照すると、例示されるのは、開示される主題の態様による、無線通信システムにおいて移動体デバイスに関連する通信を円滑にするために、宛先基地局への移動体デバイスのハンドオーバの間に、所望される圧縮コンテキスト（例えば、ＲｏＨＣコンテキスト）を宛先基地局に送信することを円滑にし得る方法論５００である。５０２において、圧縮コンテキストのサブセットが宛先基地局（例えば、２０６）に送信され得る。一態様では、発信基地局２０２は、移動体デバイス１１６と宛先基地局２０６の間でコンテキスト（例えば、ＲｏＨＣコンテキスト）を確立することを円滑にするために、発信基地局２０２の発信元セル２０４から宛先基地局２０６の宛先セル２０８への移動体デバイス１１６のハンドオーバ（例えば、基地局間ハンドオーバ）の間に、圧縮コンテキストのサブセットを宛先基地局２０６に送信することが可能である。圧縮コンテキストのサブセットは、圧縮コンテキストの所望される部分（例えば、ＲｏＨＣ静的コンテキストおよびＲｏＨＣ半静的コンテキスト）を備えてよく、または完全な圧縮コンテキストを備えてもよい。
【００７５】
５０４において、圧縮コンテキストに関連する１つまたは複数のインデックスが送信され得る。一態様によれば、発信基地局２０２は、発信元セル２０４から宛先セル２０８への移動体デバイス１１６のハンドオーバの間に、ハンドオーバならびに／あるいは圧縮コンテキストに関する（１つもしくは複数の）インデックス（例えば、ハンドオーバインデックスおよび／またはコンテキストインデックス）を移動体デバイス１１６に送信することが可能である。（１つもしくは複数の）インデックスは、移動体デバイス１１６に対して、そのハンドオーバが基地局間であるかもしくは基地局内であるか、かつ／またはハンドオーバの一部として、何の圧縮コンテキストが発信基地局２０２によって宛先基地局２０６に送信されたかを特定することが可能である。移動体デバイス１１６は、（１つまたは複数の）インデックスを受信することが可能であり、その（１つまたは複数の）インデックスに少なくとも一部基づいて、移動体デバイス１１６は、ハンドオーバの後で圧縮コンテキストが再確立されるべきであるかどうかを決定し、そうである場合、ハンドオーバの後で、移動体デバイス１１６と宛先基地局２０６の間で何の圧縮コンテキストが依然として確立されることになるかを決定することを円滑にし得る。
【００７６】
例えば、基地局間ハンドオーバの間に、発信基地局２０２は、圧縮静的コンテキストおよび圧縮半静的コンテキストを宛先基地局２０６に送信することが可能である。発信基地局２０２は、そのハンドオーバが基地局間ハンドオーバであることを示すことができるインデックスを移動体デバイス１１６に送信することも可能であり、発信基地局２０２が圧縮静的コンテキストおよび圧縮半静的コンテキストを宛先基地局２０６に送信したことをさらに特定することがさらに可能であり、これは、移動体デバイス１１６が、その移動体デバイスは、宛先基地局２０６と残りの圧縮コンテキスト（例えば、圧縮動的コンテキスト）だけを確立しなければならず、圧縮静的コンテキストおよび圧縮半静的コンテキストを確立しなくてよいことを決定することを可能にし得る。もう１つの態様では、宛先基地局２０６は、受信された圧縮コンテキストのサブセットに少なくとも一部基づいて、圧縮静的コンテキストおよび圧縮半静的コンテキストを確立することが可能であり、宛先基地局２０６は、移動体デバイス１１６に対する送信向けのデータパケットを圧縮することを円滑にするために、その受信された圧縮静的コンテキストおよび圧縮半静的コンテキストを使用し始めることが可能である。移動体デバイス１１６は、圧縮された情報を備える受信されたデータパケットを圧縮解除することが可能であり、それに応じて、受信された情報を処理することが可能である（例えば、その情報が圧縮動的コンテキストに関する場合、移動体デバイス１１６は、移動体デバイス１１６と宛先基地局２０６の間で圧縮動的コンテキストを確立することを円滑にするために、かかる情報を使用することが可能である）。
【００７７】
図６を参照すると、示されるのは、開示される主題の態様による、無線通信システムにおいて、移動体デバイスに関連する通信を円滑にするために、宛先基地局への移動体デバイスのハンドオーバの間に、所望される圧縮コンテキスト（例えば、ＲｏＨＣコンテキスト）を宛先基地局に送信することを円滑にし得るもう１つの方法論６００である。６０２において、移動体デバイスを異なるセルにハンドオフするための決定が下され得る。一態様では、発信基地局２０２は、移動体デバイス１１６が、事前に定義された選択基準に少なくとも一部基づいて、発信基地局２０２の発信元セル２０４から異なるセルにハンドオフされるべきであることを決定することが可能である。
【００７８】
６０４において、そのハンドオフ（例えば、ハンドオーバ）が、基地局間ハンドオフであるかどうかについて決定が下され得る。一態様では、発信基地局２０２は、そのハンドオフが発信基地局２０２の発信元セル２０４から宛先基地局２０６の宛先セル２０８への移動体デバイスの基地局間ハンドオフであるかどうかを決定することが可能である。そのハンドオフが基地局間ハンドオフでなく、基地内ハンドオフ（例えば、移動体デバイス１１６にサービス提供することになる新しいセルも発信基地局２０２の一部である）ことが決定された場合、６０６において、圧縮コンテキスト転送は発生しないことが決定され得る。例えば、そのハンドオフが基地局間ハンドオフではなく、代わりに、基地局内ハンドオフである場合、発信基地局２０２、したがって、新しいセルは、所望される圧縮コンテキストをすでに確立させているため、発信基地局２０２は、圧縮コンテキストを新しいセルに転送する必要がないことを決定することが可能である。結果として、圧縮コンテキストは転送されないことになる。６０８において、そのハンドオフが基地局内ハンドオフであることを示すインデックスが送信され得る。一態様では、発信基地局２０２は、ハンドオーバインデックスなどのインデックスを移動体デバイス１１６に送信することが可能であり、この場合、かかるインデックスは、そのハンドオフが基地局内ハンドオフであることを示すように設定されることが可能であり、かかるインデックスは、ハンドオーバの後で、圧縮コンテキストが再確立される必要がないことを移動体デバイス１１６にさらに示すことが可能である。
【００７９】
参照番号６０４を再び参照すると、６０４において、そのハンドオフが基地局間ハンドオフであることが決定された場合、６１０において、圧縮コンテキストの所望されるサブセットが宛先基地局に送信され得る。例えば、圧縮コンテキストの所望されるサブセットは、圧縮静的コンテキストおよび／または圧縮半静的コンテキストを備えることが可能であり、またはその代わりに、完全な圧縮コンテキストを備えることも可能である。発信元セル２０４から宛先セル２０８への移動体デバイス１１６のハンドオーバに先立って、またはその間に、発信基地局２０２は、ハンドオーバに先立って、またはその間に、移動体デバイス１１６と宛先基地局２０６の間で圧縮コンテキストを効率的に確立することを円滑にするために、圧縮コンテキストの所望されるサブセットを宛先基地局２０６に送信することが可能である。
【００８０】
６１２において、送信された圧縮コンテキストのサブセットに少なくとも一部基づき得る（１つまたは複数の）インデックスは、移動体デバイスに送信されることが可能である。一態様では、宛先セル２０８への移動体デバイス１１６のハンドオーバの間に、発信基地局２０２は、そのハンドオフが基地局間ハンドオフであることを移動体デバイス１１６に示すことが可能な（１つまたは複数の）インデックスを送信することが可能であり、発信基地局２０２から宛先基地局２０６に送信された圧縮コンテキストのサブセット内に圧縮コンテキストの何の部分が含まれたかを特定することも可能である。所望に応じて、この（１つもしくは複数の）インデックスは、発信基地局２０２から移動体デバイス１１６へのハンドオーバメッセージ内および／または異なるメッセージ内に含まれることが可能である。例えば、圧縮コンテキストのサブセットが、圧縮静的コンテキストおよび圧縮半静的コンテキストを備える場合、移動体デバイス１１６に送信された（１つまたは複数の）インデックスは、圧縮静的コンテキストおよび圧縮半静的コンテキストを備える圧縮コンテキストのサブセットを特定することが可能である。移動体デバイス１１６は、受信された（１つまたは複数の）インデックスに少なくとも一部基づいて、そのハンドオーバが基地局間ハンドオーバであることと、圧縮静的コンテキストおよび圧縮静的コンテキストが宛先基地局２０６と移動体デバイス１１６の間ですでに確立されていることとを決定することが可能である。移動体デバイス１１６は、無線通信環境において移動体デバイス１１６による効率的な通信を円滑にする目的で、宛先基地局２０６と移動体デバイス１１６の間で完全な圧縮コンテキストを確立することを完了するために、圧縮動的コンテキストだけが確立されなければならないことをさらに決定することが可能である。
【００８１】
図７は、開示される主題の態様による、無線通信システムにおいて移動体デバイスに関連する通信を円滑にするために、宛先基地局への移動体デバイスのハンドオーバの間に、所望される圧縮コンテキストを宛先基地局に送信することを円滑にし得るさらにもう１つの方法論７００を例示する。７０２において、圧縮コンテキストに関連する（１つまたは複数の）インデックスが受信され得る。一態様では、移動体デバイス１１６は、基地局間ハンドオーバなど、発信基地局２０２の発信元セル２０４から宛先基地局２０６の宛先セル２０８への移動体デバイス１１６のハンドオーバに関して、発信基地局２０２からハンドオーバおよび／または圧縮コンテキスト（例えば、ＲｏＨＣコンテキスト）に関する（１つもしくは複数の）インデックス（例えば、ハンドオーバインデックス、コンテキストインデックス）を受信することが可能である。この（１つもしくは複数の）インデックスは、ハンドオーバに先立って、またはその間に、移動体デバイス１１６と宛先基地局２０６の間で圧縮コンテキストの少なくとも一部を確立することを円滑にするために、ハンドオーバに先立って、またはその間に、そのハンドオーバが基地局間ハンドオーバであるかもしくは基地局内ハンドオーバであるか、かつ／あるいは発信基地局２０２から宛先基地局２０６に圧縮コンテキストが送信されているか、または発信されたか、およびどの程度まで発信されているか、または発信されたかに関する情報を移動体デバイス１１６に提供することが可能である。例えば、インデックスは、そのハンドオーバが基地局間ハンドオーバであることを示すように設定されることが可能であり、ハンドオーバ周期（例えば、移動体デバイス１１６へのハンドオーバコマンドの送信と、宛先基地局２０６への移動体デバイス１１６のハンドオーバ向けの時間の間の周期）の間に、圧縮静的コンテキストおよび圧縮半静的コンテキストを宛先基地局２０６に送信したことをさらに特定することが可能である。
【００８２】
７０４において、移動体デバイスと宛先基地局の間で確立された圧縮コンテキストの部分が決定され得る。一態様では、移動体デバイス１１６は、発信基地局２０２によって宛先基地局２０６に送信された圧縮コンテキストの部分を示すことが可能な、受信された（１つまたは複数の）インデックスに少なくとも一部基づいて確立されている圧縮コンテキストの部分を決定することが可能である。宛先基地局２０６は、ハンドオーバ周期の間に、発信基地局２０２から受信された圧縮コンテキストの部分を使用して、所望される圧縮コンテキストを確立し始めることが可能である。例えば、圧縮静的コンテキストおよび圧縮半静的コンテキストが発信基地局２０２から受信された場合、宛先基地局２０６は、移動体デバイス１１６と宛先基地局２０６の間で圧縮静的コンテキストおよび圧縮半静的コンテキストを確立することが可能である。圧縮コンテキストを少なくとも部分的に確立することによって、宛先基地局２０６は、移動体デバイス１１６と宛先基地局２０６の間で圧縮コンテキストを確立することを完了することを円滑にするために、データパケットを圧縮して（例えば、データパケットの少なくとも一部を圧縮して）、その圧縮されたデータパケットを移動体デバイス１１６に送信し始めることが可能であり、この場合、圧縮されたデータパケット内の情報は、依然として確立されることになる圧縮コンテキストの部分（例えば、圧縮動的コンテキスト）を確立することを円滑にし得る。
【００８３】
７０６において、依然として確立されることになるコンテキストの部分が決定され得る。一態様によれば、移動体デバイス１１６は、もしあれば、宛先基地局２０６への移動体デバイス１１６のハンドオーバの後で、受信された（１つまたは複数の）インデックスに少なくとも一部基づいて、移動体デバイス１１６と宛先基地局２０６の間で依然として確立されることになる圧縮コンテキストを決定することが可能である。例えば、発信基地局が、発信基地局２０２が、ハンドオーバに先立って、またはその間に、圧縮静的コンテキストおよび圧縮半静的コンテキストを宛先基地局２０６に送信したことを示すインデックスを移動体デバイス１１６に送信した場合、および送信したときに、移動体デバイス１１６は、その受信されたインデックスを解析することが可能であり、ハンドオーバの後で、依然として宛先基地局２０６と確立されることになる圧縮コンテキストの部分を決定することが可能である。
【００８４】
７０８において、移動体デバイス１１６と宛先基地局２０６の間で圧縮コンテキストを確立することを円滑にするために、圧縮コンテキストの残りの部分が通信され得る。ハンドオーバの後で、移動体デバイス１１６および宛先基地局２０６は、依然として確立されることになる圧縮コンテキスト（例えば、圧縮動的コンテキスト）を確立するために、互いと通信することが可能である。圧縮静的コンテキストおよび圧縮半静的コンテキストは、ハンドオーバ周期の間に、すでに確立されている可能性があるため、ハンドオーバの後に、すでに確立された圧縮コンテキストの部分に少なくとも一部基づいて、データパケットが圧縮されることが可能であり（例えば、少なくともある種のデータパケットが圧縮されることが可能であり）、圧縮されたデータパケットは、依然として確立されることになる圧縮コンテキストの部分を効率的に確立することを円滑にするために、移動体デバイス１１６と宛先基地局２０６の間で送信され得る。
【００８５】
７１０において、圧縮コンテキストの残りの部分（例えば、まだ確立されていない圧縮コンテキストの部分）が確立され得る。一態様では、ハンドオーバの後で、移動体デバイス１１６および宛先基地局２０６は、発信基地局２０２の発信元セル２０４から宛先基地局２０６の宛先セル２０８への移動体デバイスのハンドオーバ（例えば、基地局間ハンドオーバ）の間に確立されることになる圧縮コンテキストの残りの部分を確立することを円滑にするために通信することが可能である。例えば、ハンドオーバに先立って、またはその間に、発信基地局２０２が圧縮静的コンテキストおよび圧縮半静的コンテキストを宛先基地局２０６に送信し、かつ圧縮静的コンテキストおよび圧縮半静的コンテキストが宛先基地局２０６に送信されて、宛先基地局２０６において確立されたことを示すインデックスを移動体デバイス１１６に送信した場合、移動体デバイス１１６は、確立されることになる圧縮コンテキストの残りの部分が圧縮動的コンテキストであることを決定することが可能である。ハンドオーバの後で、移動体デバイス１１６および宛先基地局２０６は、圧縮動的コンテキストを確立することを円滑にするために、互いに通信することが可能である。一態様では、ハンドオーバに先立って、またはその間に、圧縮静的コンテキストおよび圧縮半静的コンテキストが確立された状態で、宛先基地局２０６は、圧縮コンテキストの残りの部分を効率的に確立することを円滑にするために、移動体デバイス１１６に送信されたデータパケット（例えば、データパケットの少なくとも一部）を圧縮することが可能である。
【００８６】
インデックスは、所望に応じて、ハンドオーバの間に、発信基地局２０２から宛先基地局２０６に圧縮コンテキストが送信されなかったこと、圧縮コンテキストの一部（例えば、送信された圧縮静的コンテキストおよび／もしくは圧縮半静的コンテキスト）が送信されたこと、または完全な圧縮コンテキスト（例えば、送信された圧縮静的コンテキスト、圧縮半静的コンテキスト、および圧縮動的コンテキスト）が送信されたことを示すことが可能である点を認識ならびに理解されたい。さらに、圧縮コンテキストが転送されなかった表示は、そのハンドオーバが基地局内ハンドオーバであるため、または基地局間ハンドオーバに関する別の理由で圧縮コンテキストが転送されなかったため、圧縮コンテキストが転送されなかったことを示すようにさらに詳細に描写されることが可能である。移動体デバイス１１６は、ハンドオーバの後で、受信されたインデックス情報を解析することが可能であり、もしある場合、依然として確立されることになる任意の圧縮コンテキストを確立することをさらに円滑にするために適切な措置を取ることが可能である。
【００８７】
本明細書で説明される１つまたは複数の態様によれば、ネットワークにおいて移動体デバイスに関連する通信を円滑にする目的で、宛先基地局と移動体デバイスの間で圧縮コンテキストを確立することを円滑にするために、発信基地局による宛先基地局への圧縮コンテキスト転送に関して推論が行われ得る点を理解されよう。本明細書で使用される場合、「推論する」または「推論」に対する用語は、一般に、事象および／もしくはデータを介して捕捉された観測のセットから、システム、環境、ならびに／またはユーザの状態について推理あるいは推論するプロセスを指す。推論は、特定の文脈もしくは活動を識別するために用いられることが可能であるか、または、例えば、状態に関する確率分布を生成することが可能である。この推論は、確率的、すなわち、データおよび事象の考慮事項に基づく、当該状態に関する確率分布の演算であり得る。推論は、事象および／またはデータのセットから、よりハイレベルの事象を構成するために用いられる技術を指す場合もある。かかる推論は、当該事象が密接な時間的近接性において相互に関係してもしなくても、かつ当該事象ならびに当該データが１つの事象およびデータソースから生じようと、複数の事象およびデータソースから生じようと、結果として、観測された事象および／もしくは格納された事象データのセットから、新しい事象または新しい活動の構成をもたらす。
【００８８】
例えば、上で提示された１つもしくは複数の方法は、宛先基地局への移動体デバイスのハンドオーバの間に、発信基地局によって宛先基地局に圧縮静的コンテキストおよび／または圧縮半静的コンテキストが転送されたかどうか、宛先基地局への移動体デバイスのハンドオーバの間に、圧縮コンテキストの何の部分が発信基地局によって宛先基地局に転送されたか、宛先基地局への移動体デバイスのハンドオーバの後で、圧縮コンテキストの何の部分が依然として確立されることになるか、ならびに／あるいは宛先基地局と移動体デバイスの間の送信のために情報が圧縮され得るかどうかに関して（１つもしくは複数の）推論を行うことを含み得る。前述の例は、本質的に例示的であり、行われ得る推論の数または本明細書で説明される様々な実施形態および／もしくは方法に関してかかる推論が行われる様式を限定することが意図されない点を理解されよう。
【００８９】
図８〜１５および本明細書で開示される表は、ＲｏＨＣ、圧縮静的コンテキスト転送および／または圧縮半静的コンテキスト転送に関する例示的な情報ならびに／あるいは例示的な結果と、宛先基地局への移動体デバイスのハンドオーバの間に、発信基地局によって宛先基地局に圧縮静的コンテキストおよび／または圧縮半静的コンテキストを転送することの影響とに関する。一態様では、移動体デバイス１１６と宛先基地局２０６の間で圧縮コンテキスト（または少なくとも部分的な圧縮コンテキスト）が確立された後で、移動体デバイス１１６のコンプレッサおよび宛先基地局２０６のコンプレッサは、送信／受信されたデータを圧縮／圧縮解除することが可能である。ＲｏＨＣエンジンは、ヘッダ情報（例えば、ＩＰヘッダ、ＵＤＰヘッダ、ＲＴＰヘッダ）などの情報の効率的な圧縮を円滑にし得る。例えば、ＲｏＨＣ  ＲＴＰプロファイルに関して、所望に応じて、２個または３個のＩＲパケットが存在し得る。インターネットプロトコルバージョン４（ＩＰｖ４）向けのＩＲパケットは、４０バイトのデータを含むことが可能であり、インターネットプロトコルバージョン６（ＩＰｖ６）向けのＩＲパケットは、６０バイトのデータを含むことが可能である。例えば、８バイトのデータを含むことが可能なＵＯＲ２Ｅｘｔ３データパケットも存在し得る。ＲｏＨＣ  ＲＴＰプロファイル向けのデータの総サイズは、（ＩＲパケットサイズ×ＩＲデータパケット数）＋（ＵＯＲ２Ｅｘｔ３データパケットのサイズ×ＵＯＲ２Ｅｘｔ３データパケット数）であり得る。表１に示されるのは、ＲｏＨＣ  ＲＴＰプロファイル向けのいくつかの例示的なＲｏＨＣコンテキストのサイズである。
【表１】
2010534043.tif 000003
【００９０】
発信基地局２０２が、宛先基地局２０６への移動体デバイス１１６の基地局間ハンドオフの間にＲｏＨＣ静的コンテキストおよびＲｏＨＣ半静的コンテキストを宛先基地局２０６に送信した場合、例えば、ＶｏＩＰトラフィックに関して、ハンドオフ当たりの平均バイトにかなりの低減が存在し得る。ＶｏＩＰトラフィックに関するハンドオフ当たりの平均バイトの低減の例は、表２に例示され、この場合、表２は、ＲＴＰプロファイルに関する圧縮静的コンテキスト転送（例えば、発信基地局による宛先基地局への圧縮静的コンテキストの転送）の影響を実証することを円滑にし得る。
【表２】
2010534043.tif 000004
【００９１】
この場合、ｎｕｍ＿ＩＲは、用いられるＩＲデータパケット数をさす。
【００９２】
図８を参照すると、例示されるのは、ある基地局から別の基地局への移動体デバイスのハンドオーバにおけるＲｏＨＣコンテキストの再確立による、解析的なエアインターフェースオーバヘッドの例示的なグラフ８００である。ＲｏＨＣオーバヘッドは、ハンドオフがない場合、ＡＭＲ１２．２ｋｂｐｓ  ＶｏＩＰパケット当たりのバイトの割合として計算される。
【００９３】
図９は、アクセスゲートウェイ（ａＧＷ）におけるＲｏＨＣと比較した追加のアップリンクＶｏＩＰレイテンシに関する例示的なグラフ９００を示す。グラフ９００は、１つのインターレースおよび２つのインターレースが割り当てられた状態で、それぞれの追加のレイテンシを示す。図１０を参照すると、例示されるのは、ａＧＷにおけるＲｏＨＣと比較した追加のアップリンクゲームレイテンシの例示的なグラフ１０００である。グラフ１０００は、ファーストパーソンシューター（first person shooter）のゲームモードに少なくとも一部基づく。グラフ１０００は、４２バイトの平均アプリケーションパケットサイズおよび５１ｍｓの平均到着間時間にも一部基づく。グラフ９００およびグラフ１０００に関して、ある種の想定が行われる。すなわち、アップリンク上に８つのインターレースが存在する、１つまたは２つのインターレースが移動体デバイスに割り当てられ、この場合、ＶｏＩＰトラフィックに関して、ＶｏＩＰパケット当たり３２０ビットが存在し、ゲームトラフィックに関して、ゲームパケット当たり３３６アプリケーションビットが存在する、ハンドオーバの結果として、ＲｏＨＣコンテキストの再確立により、より大きなパケットサイズに関して、移動体デバイスによる追加の要求または基地局からの割当ては存在せず、この点で、レイテンシの増大は、容量の損失がないことを想定して計算される、ボコーダによるパケット生成とパケット送信機会を位置合わせすることにより、レイテンシをスケジューリングし、この点で、１０ｍｓの平均レイテンシが解析に使用される、およびそれぞれのＶｏＩＰ向けのハイブリッド自動再送要求（Ｈ−ＡＲＱ）数は２、４、または６であり、終了統計は、それぞれのサブパケットの後で等しい確率を有するなどである。
【００９４】
表３は、開示される主題の態様に従って用いられることが可能な例示的なＩＰヘッダ、ＵＤＰヘッダ、およびＲＴＰヘッダを示す。
【表３】
2010534043.tif 000005
【００９５】
圧縮静的コンテキストを確立するために、宛先基地局２０６が受信された圧縮静的コンテキストを適用する基地局間ハンドオーバの間の発信基地局２０２から宛先基地局２０６への圧縮静的コンテキストの転送後に、いくつかのデータパケットは、追加の圧縮コンテキスト（例えば、圧縮動的コンテキスト）が確立されるまで、圧縮または完全に圧縮されない場合がある点を認識および理解されたい。例えば、ＲＴＰプロファイルに関して、圧縮されたより小さなデータパケットは、ＲＴＰ系列番号（ＳＮ）向けの１６ビットを有さない場合があるため、かかるデータパケットは、使用されることが可能でない場合がある。結果として、ＩＲ−ＤＹＮパケットは、追加の圧縮コンテキストまで利用され得る最小データパケットである可能性があり、この場合、ＩＲ−ＤＹＮは、例えば、動的コンテキスト内の任意の変更を更新するために利用されることが可能な初期のリフレッシュ動的パケット（Initial Refresh Dynamic packet）であり得る。
【００９６】
表４は、ＩＰｖ６向けのＲｏＨＣ（例えば、ＲｏＨＣｖ１）のＲＴＰプロファイルに関するＩＲ−ＤＹＮパケットのいくつかの例示的なサイズを示す。
【表４】
2010534043.tif 000006
【００９７】
表４から、典型的なＩＲ−ＤＹＮパケットは、２４バイトの情報を含み得る。ＩＲ−ＤＹＮパケットは、宛先基地局２０６への移動体デバイス１１６のハンドオーバの間の発信基地局２０２から宛先基地局２０６への圧縮コンテキスト転送の一環として、ＴＳ＿ＳＴＲＩＤＥおよびＴＩＭＥ＿ＳＴＲＩＤＥを転送することによって、潜在的に、１７バイトの情報まで削減され得る。
【００９８】
図１１を参照すると、示されるのは、ＲＴＰプロファイルに関して、ＡＭＲ１２．２ｋｂｐｓに関する解析的なＲｏＨＣオーバヘッドの例示的なグラフ１１００である。ＲｏＨＣオーバヘッドは、ハンドオーバがない場合、ＡＭＲ１２．２ｋ  ＶｏＩＰパケット当たりのバイトの割合として計算される。
【００９９】
ＲＴＰプロファイルに関して、適応マルチレート（adaptive multi-rate）（ＡＭＲ）に関するＲｏＨＣによる追加のオーバヘッドの割合の例が表５に例示され、この場合、表５は、ＲＴＰプロファイルに関する圧縮静的コンテキスト転送（例えば、発信基地局による宛先基地局への圧縮静的コンテキストの転送）の影響を実証することを円滑にし得る。
【表５】
2010534043.tif 000007
【０１００】
この場合、ｎｕｍ＿ＩＲは、用いられるＩＲデータパケット数を指す。
【０１０１】
図１２を参照すると、例示されるのは、ＲＴＰプロファイルに関して、１つのインターレースが割り当てられた状態で、ａＧＷにおけるＲｏＨＣと比較した追加のＶｏＩＰレイテンシの例示的なグラフ１２００である。グラフ１２００は、ハンドオーバにおいて、圧縮コンテキスト転送が存在しない様々な事例、およびハンドオーバにおいて、圧縮コンテキスト転送が存在する（例えば、ハンドオーバにおいて、発信基地局が圧縮静的コンテキストを宛先基地局に転送する）様々な事例に関する例示的なレイテンシを示す。
【０１０２】
図１３は、ＲＴＰプロファイルに関して、２つのインターレースが割り当てられた状態で、ａＧＷにおけるＲｏＨＣと比較した追加のＶｏＩＰレイテンシの例示的なグラフ１３００を示す。グラフ１３００は、ハンドオーバにおいて、圧縮コンテキスト転送が存在しない様々な事例、およびハンドオーバにおいて、圧縮コンテキスト転送が存在する（例えば、ハンドオーバにおいて、発信基地局が圧縮静的コンテキストを宛先基地局に転送する）様々な事例に関する例示的なレイテンシを示す。
【０１０３】
一態様では、ＲｏＨＣ  ＲＴＰプロファイルに関して、宛先基地局２０６への移動体デバイス１１６の基地局間ハンドオーバの間に、発信基地局２０２によって宛先基地局２０６に転送された圧縮静的コンテキストおよび圧縮半静的コンテキストが存在する場合、ダウンリンクコンプレッサ（例えば、宛先基地局２０６のコンプレッサ４０６）は、以下のフィールドをその圧縮静的コンテキストおよび圧縮半静的コンテキストに適応することが可能である。例えば、ＩＰｖ６ヘッダ向けのフィールドは、バージョン、フローラベル、次ヘッダ、発信元アドレス、宛先アドレス、トラフィッククラス、およびホップリミットを含むことが可能であり、ＵＤＰヘッダ向けのフィールドは、発信元ポートおよび宛先ポートを含むことが可能であり、ＲＴＰヘッダ向けのフィールドは、バージョン、拡張、ＳＳＲＣ、およびペイロードタイプを含むことが可能である。ダウンリンクコンプレッサは、上の圧縮コンテキスト（例えば、圧縮静的コンテキストおよび圧縮半静的コンテキスト）がダウンリンク圧縮解除装置（例えば、移動体デバイス１１６のコンプレッサ３０８の圧縮解除構成要素）においてすでにセットアップされていることを想定することが可能であり、それに一部基づいて、ダウンリンク圧縮解除装置は、約６０オクテットのサイズを有し得るＩＲパケットを送る代わりに、約２４オクテットのサイズを有し得るＩＲ−ＤＹＮパケットを送信し始めることが可能である。
【０１０４】
さらに、アップリンク圧縮解除装置（例えば、宛先基地局２０６のコンプレッサ４０６の圧縮解除構成要素）は、以下のフィールドをその静的コンテキストおよび半静的コンテキストに適応することが可能である。例えば、ＩＰｖ６ヘッダ向けのフィールドは、バージョン、フローラベル、次ヘッダ、発信元アドレス、宛先アドレス、トラフィッククラス、およびホップリミットを含むことが可能であり、ＵＤＰヘッダ向けのフィールドは、発信元ポート、および宛先ポートを含むことが可能であり、ＲＴＰヘッダ向けのフィールドは、バージョン、拡張、ＳＳＲＣ、およびペイロードタイプを含むことが可能である。
【０１０５】
ＲｏＨＣ  ＵＤＰプロファイルに関するもう１つの態様では、移動体デバイスと基地局（例えば、宛先基地局）の間でＲｏＨＣコンテキストを確立する間に、所望に応じて、２個または３個のＩＲパケットが用いられることが可能である。例えば、ＩＰｖ４向けのＩＲパケットは、通常、２８バイトのデータを含むことが可能であり、ＩＰｖ6向けのＩＲパケットは、通常、４８バイトのデータを含むことが可能である。ＲｏＨＣ  ＲＴＰプロファイル向けのデータの総サイズは、（ＩＲパケットサイズ×ＩＲデータパケット数）であり得る。表６に示されるのは、ＲｏＨＣ  ＵＤＰプロファイル向けのいくつかの例示的なＲｏＨＣコンテキストサイズである。
【表６】
2010534043.tif 000008
【０１０６】
この場合、ｎｕｍ＿ＩＲは、用いられるＩＲデータパケット数を指す。
【０１０７】
ＩＰｖ６を用いるとき、移動体デバイスの基地局間ハンドオーバの間に、発信基地局から宛先基地局への圧縮静的コンテキスト転送が存在しない場合、ＩＲデータパケットが送られ、この場合、ＩＲパケットは、パケットタイプ向けの１バイト、プロファイル向けの１バイト、ＣＲＣ向けの１バイト、ＩＰｖ６向けの３９バイト、ＵＤＰ向けの６バイトの合計４８バイトを含み得る。移動体デバイス１１６の基地局間ハンドオーバの間に、圧縮静的コンテキストが発信基地局２０２から宛先基地局２０６に転送される場合、圧縮されたより小さなパケット（例えば、ＵＯ−０またはＵＯＲ−２）が使用されることが可能であり、この場合、ＵＯ−０は、１バイトの圧縮されたパケットおよび２バイトのＵＤＰチェックサムの３バイトの総サイズを含むことが可能であり、ＵＯＲ−２は、２バイトの圧縮されたパケットおよび２バイトを有するＵＤＰチェックサムの４バイトの総サイズを含むことが可能である。したがって、ハンドオーバの間に、発信基地局による宛先基地局への圧縮コンテキスト転送が存在しない場合の４８バイトのデータパケットと比較して、ハンドオーバの間に、圧縮静的コンテキストを宛先基地局２０６に転送するために、発信基地局２０２によって圧縮静的コンテキスト転送が実行される場合、３バイトまたは４バイトのサイズを有する圧縮されたパケットが用いられることが可能である。
【０１０８】
ゲームトラフィックに関するハンドオフ当たりの平均ＲｏＨＣバイトの例が表７に示される。
【表７】
2010534043.tif 000009
【０１０９】
ゲームトラフィックに関するＲｏＨＣによる追加のオーバヘッドの割合の例が表８に示される。
【表８】
2010534043.tif 000010
【０１１０】
この場合、ｎｕｍ＿ＩＲは、用いられるＩＲデータパケット数を指す。
【０１１１】
一態様では、宛先基地局２０６への移動体デバイス１１６の基地局間ハンドオーバの間に、発信基地局２０２によって宛先基地局２０６に転送された圧縮静的コンテキストおよび圧縮半静的コンテキストが存在するとき、ダウンリンクコンプレッサ（例えば、宛先基地局２０６のコンプレッサ４０６）は、以下のフィールドをその圧縮静的コンテキストおよび圧縮半静的コンテキストに適応することが可能である。例えば、ＩＰｖ６ヘッダ向けのフィールドは、バージョン、フローラベル、次ヘッダ、発信元アドレス、宛先アドレス、トラフィッククラス、およびホップリミットを含むことが可能であり、ＵＤＰヘッダ向けのフィールドは、発信元ポートおよび宛先ポートを含むことが可能である。ダウンリンクコンプレッサは、上の圧縮コンテキスト（例えば、圧縮静的コンテキストおよび圧縮半静的コンテキスト）がダウンリンク圧縮解除装置（例えば、移動体デバイス１１６のコンプレッサ３０８の圧縮解除構成要素）においてすでにセットアップされていることを想定することが可能であり、それに少なくとも一部基づいて、ダウンリンクコンプレッサは、約４８オクテッドのサイズを有し得るＩＲパケットを送る代わりに、ＵＤＰチェックサムを含めて、３オクテットであり得るＵＯ−０データパケット、またはＵＤＰチェックサムを含めて、４オクテットであり得るＵＯＲ−２データパケットを送り始めることが可能である。
【０１１２】
さらに、アップリンク圧縮解除装置（例えば、宛先基地局のコンプレッサ４０６の圧縮解除構成要素）は、以下のフィールドをその圧縮静的コンテキストおよび圧縮半静的コンテキストに適応することが可能である。例えば、ＩＰｖ６ヘッダ向けのフィールドは、バージョン、フローラベル、次ヘッダ、発信元アドレス、宛先アドレス、トラフィッククラス、およびホップリミットを含むことが可能であり、ＵＤＰヘッダ向けのフィールドは、発信元ポートおよび宛先ポートを含むことが可能である。
【０１１３】
図１４を参照すると、示されるのは、ＵＤＯプロファイルに関して、１つのインターレースが割り当てられた状態で、ａＧＷにおけるＲｏＨＣと比較した追加のゲームレイテンシの例示的なグラフ１４００である。グラフ１４００は、ハンドオーバにおいて、圧縮コンテキスト転送が存在しない様々な事例、およびハンドオーバにおいて、圧縮コンテキスト転送が存在する（例えば、ハンドオーバにおいて、発信基地局が圧縮静的コンテキストを宛先基地局に転送する）様々な事例に関する例示的なレイテンシを示す。
【０１１４】
図１５を参照すると、示されるのは、ＵＤＰプロファイルに関して、２つのインターレースが割り当てられた状態で、ａＧＷにおけるＲｏＨＣと比較した追加のゲームレイテンシの例示的なグラフ１５００である。グラフ１５００は、ハンドオーバにおいて、圧縮コンテキスト転送が存在しない様々な事例、およびハンドオーバにおいて、圧縮コンテキスト転送が存在する（例えば、ハンドオーバにおいて、発信基地局が圧縮静的コンテキストを宛先基地局に転送する）様々な事例に関する例示的なレイテンシを示す。
【０１１５】
図１６は、開示される主題の態様による、無線通信システムにおいて、移動体デバイスに関連する通信を円滑にし得る移動体デバイス１６００の例示である。移動体デバイス１６００は、例えば、システム１００、システム２００、システム３００、システム４００、方法論５００、方法論６００、および方法論７００に関して、本明細書でより詳細に説明されるような、移動体デバイス１１６と同じでもしくは類似であってよく、かつ／あるいは移動体デバイス１１６と同じ機能性または類似の機能性を備え得る点を認識および理解されたい。
【０１１６】
移動体デバイス１６００は、例えば、受信アンテナ（図示せず）から信号を受信して、その受信された信号に関して典型的な活動（例えば、フィルタリング、増幅、ダウンコンバートなど）を実行し、サンプルを取得するために、条件付けられた信号をディジタル化する受信機１６０２を備え得る。受信機１６０２は、例えば、ＭＭＳＥ受信機であってよく、受信された記号を復調して、それらの記号をチャネル推定のためにプロセッサ１６０６に提供することが可能な復調器１６０４を備え得る。プロセッサ１６０６は、受信機１６０２によって受信された情報の分析および／または送信機１６０８による送信に関する情報の生成専用のプロセッサ、移動体デバイス１６００の１つもしくは複数の構成要素を制御するプロセッサ、ならびに／あるいは受信機１６０２によって受信された情報の解析および送信機１６０８による送信に関する情報の生成と移動体デバイス１６００１つもしくは複数の構成要素の制御の両方を行うプロセッサであり得る。移動体デバイス１６００は、例えば、基地局（例えば、１０２、２０２、２０６）、別の移動体デバイス（例えば、１２２）などに信号（例えば、データ）を送信することを円滑にするために、送信機１６０８と協働することが可能な変調器１６１０も備え得る。
【０１１７】
一態様では、プロセッサ１６０６は、無線通信環境において、データ、圧縮コンテキストなどの情報を別の基地局（例えば、発信基地局、宛先基地局）、別の移動体デバイス、または別のデバイスに送信することを円滑にすることが可能な通信装置３０２に接続され得る。もう１つの態様では、プロセッサ１６０６は、移動体デバイス１６００の付近に配置された（１つまたは複数の）セルを検出することを円滑にすることが可能な検出器３０４に接続され得る。プロセッサ１６０６は、それを用いて、移動体デバイス１１６による通信が、サービス提供基地局（例えば、発信基地局２０２）のセル（例えば、発信元セル２０４）から受信された、所望されるセルの選択または当該セルへの移動体デバイス１１６の交換を示すメッセージに少なくとも一部基づいて円滑にされ得る、所望される基地局（例えば、宛先基地局２０６）の所望されるセル（例えば、宛先セル２０８）を選択することまたは当該セルに交換することを円滑にし得るセレクタ３０６にも接続されることが可能である。プロセッサ１６０６は、基地局、移動体デバイス、もしくは別のデバイスに送信されることになるデータを圧縮することを円滑にすることが可能であり、かつ／または圧縮コンテキストに従って、基地局、移動体デバイス、もしくは別のデバイスから受信された、圧縮されたデータを圧縮解除することを円滑にすることが可能なコンプレッサ３０８に接続され得る。
【０１１８】
移動体デバイス１６００は、プロセッサ１６０６に動作可能に結合されることが可能であり、送信されることになるデータ、受信されたデータ、基地局および／もしくはセル（例えば、発信基地局２０２、宛先基地局２０６）に関する情報、移動体デバイス１６００に関する情報、ならびに／または移動体デバイス１６００に関連するデータの通信を円滑にすることが可能な任意のその他の適切な情報を格納することが可能なデータ格納３１０をさらに備え得る。データ格納３１０は、発信基地局２０２による圧縮コンテキスト転送に関して受信されたインデックス情報を評価すること、宛先基地局への移動体デバイスのハンドオーバの後で確立されることになる残りの圧縮コンテキストを決定すること、基地局（例えば、宛先基地局２０６）と圧縮コンテキストを確立すること、送信されることになるデータを圧縮することもしくは受信された圧縮されたデータを圧縮解除すること、および／または移動体デバイス１６００に関するその他の機能に関連するプロトコルならびに／あるいはアルゴリズムをさらに格納することが可能である。
【０１１９】
通信装置３０２、検出器３０４、セレクタ３０６、コンプレッサ３０８、およびデータ格納３１０はそれぞれ、例えば、システム３００に関して、本明細書でより十分説明されるような、それぞれの構成要素と同じでもしくは類似であってよく、あるいは当該構成要素と同じ機能性または類似の機能性を備え得る点を認識および理解されたい。通信装置３０２、検出器３０４、セレクタ３０６、コンプレッサ３０８、およびデータ格納３１０はそれぞれ、所望に応じて、（示されるように）独立型ユニットであってよく、プロセッサ１６０６内に含まれてよく、別の構成要素内に組み込まれてもよく、かつ／または、事実上、それらの任意の適切な組合せであってもよい点をさらに認識及び理解されたい。
【０１２０】
図１７は、開示される主題の態様による、無線通信システムにおいて移動体デバイスに関連する通信を円滑にし得るシステム１７００の例示である。システム１７００は、基地局１０２（例えば、アクセスポイント、．．．）を備え得る。基地局１０２は、複数の受信アンテナ１７０４を介して、１つまたは複数の移動体デバイス１１６から（１つもしくは複数の）信号を受信することが可能な受信機１７０２と、送信アンテナ１７０８を介して、１つまたは複数の移動体デバイス１１６に信号（例えば、データ）を送信することが可能な送信機１７０６とを含み得る。受信機１７０２は、受信アンテナ１７０４から情報を受信することが可能であり、受信された情報を復調することが可能な復調器１７１０と動作可能に関連付けられることが可能である。復調された記号は、受信機１７０２によって受信された情報の解析および／または送信機１７０６による送信に関する情報の生成専用のプロセッサ、基地局１０２の１つもしくは複数の構成要素を制御するプロセッサ、ならびに／あるいは受信機１７０２によって受信された情報の解析および送信機１７０６による送信に関する情報の生成と基地局１０２の１つもしくは複数の構成要素の制御の両方を行うプロセッサであり得るプロセッサ１７１２によって解析され得る。基地局１０２は、例えば、移動体デバイス１１６、別のデバイスなどに信号（例えば、データ）を送信することを円滑にするために、送信機１７０６と協働することが可能な変調器１７１４も備え得る。
【０１２１】
プロセッサ１７１２は、無線通信環境において、基地局１０２から移動体デバイス１１６、（１つもしくは複数の）別の基地局（例えば、宛先基地局２０６）、セル（例えば、宛先セル２０８）、および／または基地局１０２に関連する（１つもしくは複数の）別のデバイスに情報を送信することを円滑にすることが可能な通信装置４０２に接続され得る。プロセッサ１７１２は、情報を解析することおよび／または送信に関する情報を生成することを円滑にすることが可能な１つもしくは複数のプロセッサ、マイクロプロセッサ、および／あるいはコントローラを備えることが可能であり、かつ／または発信基地局２０２の１つもしくは複数の構成要素を制御することが可能なコントローラ４０４に接続されることも可能である。
【０１２２】
もう１つの態様では、プロセッサ１７１２は、基地局（例えば、宛先基地局２０６）、移動体デバイス１１６、および／もしくは別のデバイスに送信されることになるデータを圧縮することが可能であり、かつ／または圧縮コンテキストに従って、基地局、移動体デバイス１１６、もしくは別のデバイスから受信された圧縮されたデータを圧縮解除することを円滑にすることが可能なコンプレッサ４０６に接続され得る。さらにもう１つの態様では、プロセッサ１７１２は、異なるセル（例えば、宛先セル２０８）への移動体デバイス１１６のハンドオーバの間に、コンテキストインデックスおよび／またはハンドオーバインデックス（例えば、基地局識別子）などのインデックス情報を移動体デバイス１１６に提供することを円滑にし得るインデックス４０８に接続されることが可能である。
【０１２３】
プロセッサ１７１２は、発信基地局２０２と移動体デバイス１１６の間で圧縮コンテキストを確立することを円滑にするために、かつ／または、それを用いて、移動体デバイス１１６が、ネットワークにおいて移動体デバイス１１６による通信を円滑にするために通信することが可能なセルを選択することを円滑にするために、移動体デバイス１１６、基地局１０２、その他の基地局、および／またはセル（例えば、宛先セル２０８）に関する情報（例えば、圧縮コンテキスト情報、セルの信号強度など）を評価することを円滑にし得る評価装置４１０に接続されることが可能である。プロセッサ１７１２は、それを用いて移動体デバイス１１６が通信することが可能なセル（例えば、宛先セル２０８）を選択することを円滑にするために、セルの選択に関する評価結果を利用することが可能なセレクタ４１２に接続されることも可能である。
【０１２４】
プロセッサ１７１２は、送信されることになるデータ、受信されたデータに関する情報、基地局（例えば、基地局１０２、宛先基地局２０６）に関する情報、移動体デバイス１１６に関する情報、セル（例えば、発信元セル２０２、宛先セル２０６）に関する情報、および移動体デバイス１１６に関連する情報（例えば、音声、データ）の通信を円滑にし得る任意のその他の適切な情報を格納することが可能なデータ格納４１４に結合され得る。データ格納４１４は、移動体デバイス１１６、別の基地局、セル、または別のデバイスに関連し、かつこれらとの通信を円滑にし、圧縮コンテキスト情報を宛先基地局に転送し、移動体デバイス１１６、基地局１０２、別の基地局１０２、もしくはセル（例えば、２０８）に関連する情報（例えば、圧縮コンテキスト）を評価し、かつ／あるいは移動体デバイスと基地局（例えば、宛先基地局２０６）の間で圧縮コンテキストを確立するプロトコルおよび／またはアルゴリズムをさらに格納し得る。
【０１２５】
通信装置４０２、コントローラ４０４、コンプレッサ４０６、インデックス４０８、評価装置４１０、セレクタ４１２、およびデータ格納４１４はそれぞれ、例えば、システム４００に関して、本明細書でより十分に説明されるような、それぞれの構成要素と同じでもしくは類似であってよく、かつ／あるいは当該構成要素と同じ機能性または類似の機能性を備え得る点を認識および理解されたい。通信装置４０２、コントローラ４０４、コンプレッサ４０６、インデックス４０８、評価装置４１０、セレクタ４１２、およびデータ格納４１４はそれぞれ、所望に応じて、（示されるように）独立型のユニットであってよく、プロセッサ１７１２内に含まれてよく、別の構成要素内に組み込まれてよく、かつ／または、事実上、それらの任意の適切な組合せであってよい点をさらに認識および理解されたい。
【０１２６】
図１８は、開示される主題の態様による、例示的な無線通信システム１８００を示す。無線通信システム１８００は、簡潔にするために、１個の基地局１８１０と、１個の移動体デバイス１８５０とを示す。しかし、システム１８００は、２個以上の基地局および／または２個以上の移動体デバイスを含むことが可能であり、追加の基地局および／もしくは移動体デバイスは、下で説明される例示的な基地局１８１０ならびに移動体デバイス１８５０と実質的に類似であってよく、または異なってもよい点を理解されたい。加えて、基地局１８１０および／もしくは移動体デバイス１８５０は、それらの間で無線通信を円滑にするために、本明細書で説明されるシステム（図１〜４、１６〜１７）ならびに／または方法（図５〜７）を用いることが可能である点を理解されたい。基地局１８１０および移動体デバイス１８５０はそれぞれ、例えば、システム１００、システム２００、システム３００、システム４００、方法論５００、方法論６００、方法論７００、システム１６００ならびに／またはシステム１７００など、本明細書でより十分説明されるそれぞれの構成要素とそれぞれ同じでもしくは類似であってよく、かつ／あるいは当該構成要素と同じ機能性または類似の機能性を備え得る点を理解されたい。
【０１２７】
基地局１８１０において、いくつかのデータストリームに関するトラフィックデータがデータソース１８１２から送信（ＴＸ）データプロセッサ１８１４に提供される。例によれば、それぞれのデータストリームは、それぞれのアンテナ上で送信され得る。ＴＸデータプロセッサ１８１４は、符号化されたデータを提供するために、そのデータストリームに関して選択された特定のコーディング方式に基づいて、トラフィックデータストリームをフォーマット、符号化、およびインタリーブする。
【０１２８】
それぞれのデータストリームに関して符号化されたデータは、直交周波数分割多重化（ＯＦＤＭ）技術を使用して、パイロットデータを用いて多重化され得る。さらにまたは別法として、パイロット記号は、周波数分割多重化（ＦＤＭ）されること、時分割多重化（ＴＤＭ）されること、または符号分割多重化（ＣＤＭ）されることが可能である。パイロットデータは、通常、知られている様式で処理されて、チャネル応答を推定するために、移動体デバイス１８５０において使用されることが可能な、知られているデータパターンである。それぞれのデータストリームに関して、多重化されたパイロットデータおよび符号化されたデータは、変調記号を提供するために、そのデータストリームに関して選択された特定の変調方式（例えば、二位相偏移変調（ＢＰＳＫ）、四位相偏移変調（ＱＰＳＫ）、多値位相偏移変調（Ｍ−ＰＳＫ）、多値直交振幅変調（Ｍ−ＱＡＭ）など）に基づいて、変調され得る（例えば、記号マップされ得る）。それぞれのデータストリームに関するデータ転送速度、コーディング、および変調は、プロセッサ１８３０によって実行または提供される命令によって決定され得る。
【０１２９】
データストリームに関する変調記号は、（例えば、ＯＦＤＭに関して）変調記号をさらに処理することが可能なＴＸ  ＭＩＭＯプロセッサ１８２０に提供されることが可能である。ＴＸ  ＭＩＭＯプロセッサ１８２０は、次いで、ＮＴ個の変調記号ストリームをＮＴ個の送信機（ＴＭＴＲ）１８２２ａ乃至１８２２ｔに提供する。様々な実施形態では、ＴＸ  ＭＩＭＯプロセッサ１８２０は、ビーム形成重みをデータストリームの記号と、そこから、その記号が送信されているアンテナとに適応する。
【０１３０】
それぞれの送信機１８２２は、１つまたは複数のアナログ信号を提供するために、それぞれの記号ストリームを受信および処理して、ＭＩＭＯチャネル上の送信に適した、変調された信号を提供するために、そのアナログ信号をさらに条件付け（例えば、増幅、フィルタリング、およびアップコンバート）する。さらに、送信機１８２２ａ乃至１８２２ｔからのＮＴ個の変調された信号は、それぞれ、ＮＴ本のアンテナ１８２４ａ乃至１８２４ｔから送信される。
【０１３１】
移動体デバイス１８５０において、送信された変調された信号は、ＮＲ本のアンテナ１８５２ａ乃至１８５２ｒによって受信されて、それぞれのアンテナ１８５２から受信された信号は、それぞれの受信機（ＲＣＶＲ）１８５４ａ乃至１８５４ｒに提供される。それぞれの受信機１８５４は、それぞれの信号を条件付け（例えば、フィルタリング、増幅、およびダウンコンバート）して、サンプルを提供するために、条件付けられた信号をディジタル化し、対応する「受信された」記号ストリームを提供するために、そのサンプルをさらに処理する。
【０１３２】
ＲＸデータプロセッサ１８６０は、ＮＴ個の「検出された」記号ストリームを提供するために、特定の受信機処理技術に基づいて、ＮＲ個の受信された記号ストリームをＮＲ個の受信機１８５４から受信して、これを処理することが可能である。ＲＸデータプロセッサ１８６０は、データストリームに関するトラフィックデータを回復するために、それぞれの検出された記号ストリームを復調、ディインタリーブ、および復号することが可能である。ＲＸデータプロセッサ１８６０による処理は、基地局１８１０において、ＴＸ  ＭＩＭＯプロセッサ１８２０およびＴＸデータプロセッサ１８１４によって実行される処理に対して補完的である。
【０１３３】
プロセッサ１８７０は、（下で議論される）どのプリコーディング行列を使用するかを周期的に決定することが可能である。さらに、プロセッサ１８７０は、行列指数部分とランク値部分とを備える逆方向リンクメッセージを定式化することが可能である。
【０１３４】
逆方向リンクメッセージは、通信リンクおよび／または受信されたデータストリームに関する様々なタイプの情報を備え得る。逆方向リンクメッセージは、データソース１８３６から、いくつかのデータストリームに関するトラフィックデータも受信するＴＸデータプロセッサ１８３８によって処理されて、変調器１８８０によって変調され、送信機１８５４ａ乃至１８５４ｒによって条件付けされ、基地局１８１０に送信し戻されることが可能である。
【０１３５】
基地局１８１０において、移動体デバイス１８５０からの変調された信号は、アンテナ１８２４によって受信されて、受信機１８２２によって条件付けされ、復調器１８４０によって復調され、移動体デバイス１８５０によって送信された逆方向リンクメッセージを抽出するために、ＲＸデータプロセッサ１８４２によって処理される。さらに、プロセッサ１８３０は、抽出されたメッセージを処理して、ビーム形成重みを決定するために、どのプリコーディング行列を使用するかを決定することが可能である。
【０１３６】
プロセッサ１８３０および１８７０は、それぞれ、基地局１８１０および移動体デバイス１８５０において、動作（例えば、制御、調整、管理することなど）を導くことが可能である。それぞれのプロセッサ１８３０および１８７０は、プログラムコードとデータとを格納するメモリ１８３２および１８７２と関連付けられることが可能である。プロセッサ１８３０および１８７０は、それぞれ、アップリンクとダウンリンクとに関する周波数推定およびインパルス応答推定を導出するための演算を実行することも可能である。
【０１３７】
一態様では、論理チャネルは、制御チャネルおよびトラフィックチャネルに分類される。論理制御チャネルは、システム制御情報をブロードキャストするためのＤＬチャネルであるブロードキャスト制御チャネル（ＢＣＣＨ）を備える。ページング情報を転送するＤＬチャネルであるページング制御チャネル（ＰＣＣＨ）。１つまたは複数のＭＴＣＨに関するマルチメディアブロードキャストおよびマルチキャストサービス（ＭＢＭＳ）スケジューリングならびに制御情報を送信するために使用される、一対多方向型ＤＬチャネルであるマルチキャスト制御チャネル（ＭＣＣＨ）。一般に、ＲＲＣ接続を確立した後で、このチャネルは、ＭＢＭＳ（注記：古いＭＣＣＨ＋ＭＳＣＨ）を受信するＵＥによってだけ使用される。専用の制御チャネル（ＤＣＣＨ）は、専用の制御チャネル情報を送信して、ＲＲＣ接続を有するＵＥによって使用される二地点間双方向チャネルである。一態様では、論理トラフィックチャネルは、ユーザ情報の転送のための１個のＵＥ専用の二地点間双方向チャネルである専用のトラフィックチャネル（ＤＴＣＨ）を備える。また、トラフィックデータを送信するための一対多方向型ＤＬチャネル向けのマルチキャストトラフィックチャネル（ＭＴＣＨ）。
【０１３８】
一態様では、トランスポートチャネルは、ＤＬおよびＵＬに分類される。ＤＬトランスポートチャネルは、ブロードキャストチャネル（ＢＣＨ）、ダウンリンク共有データチャネル（ＤＬ−ＳＤＣＨ）、およびセル全体にわたってブロードキャストされ、その他の制御チャネル／トラフィックチャネルのために使用され得るＰＨＹリソースにマップされる、（ＤＲＸサイクルがネットワークによってＵＥに示される）ＵＥ電力節約をサポートするためのページングチャネル（ＰＣＨ）を備える。ＵＬトランスポートチャネルは、ランダムアクセスチャネル（ＲＡＣＨ）、要求チャネル（ＲＥＱＣＨ）、アップリンク共有データチャネル（ＵＬ−ＳＤＣＨ）および複数のＰＨＹチャネルを備える。ＰＨＹチャネルは、ＤＬチャネルとＵＬチャネルのセットを備える。
【０１３９】
ＤＬ  ＰＨＹチャネルは、共通パイロットチャネル（ＣＰＩＣＨ）、同期チャネル（ＳＣＨ）、共通制御チャネル（ＣＣＣＨ）、共有ＤＬ制御チャネル（ＳＤＣＣＨ）、マルチキャスト制御チャネル（ＭＣＣＨ）、共有ＵＬ割当チャネル（ＳＵＡＣＨ）、肯定応答チャネル（ＡＣＫＣＨ）、ＤＬ物理共有データチャネル（Physical Shared Data Channel）（ＤＬ−ＰＳＤＣＨ）、ＵＬ電力制御チャネル（ＵＰＣＣＨ）、ページングインデックスチャネル（ＰＩＣＨ）、ロードインデックスチャネル（ＬＩＣＨ）を備え得る。
【０１４０】
ＵＬ  ＰＨＹチャネルは、物理ランダムアクセスチャネル（ＰＲＡＣＨ）、チャネル品質インデックスチャネル（ＣＱＩＣＨ）、肯定応答チャネル（ＡＣＫＣＨ）、アンテナサブセットインデックスチャネル（ＡＳＩＣＨ）、共有要求チャネル（ＳＲＥＱＣＨ）、ＵＬ物理共有データチャネル（ＵＬ−ＰＳＤＣＨ）、広帯域パイロットチャネル（ＢＰＩＣＨ）を備え得る。
【０１４１】
一態様では、単一搬送波波形の低いＰＡＲ（任意の所与の時点で、チャネルが周波数において連続するかまたは均一に間隔があけられる）特性を保つチャネル構造が提供される。
【０１４２】
本明細書で説明される実施形態は、ハードウェア、ソフトウェア、ファームウェア、ミドルウェア、マイクロコード、またはそれらの任意の組合せの形で実装され得る点を理解されたい。ハードウェア実装形態の場合、処理ユニットは、１つまたは複数の特定用途向け集積回路（ＡＳＩＣ）、ディジタル信号プロセッサ（ＤＳＰ）、ディジタル信号処理デバイス（ＤＳＰＤ）、プログラマブル論理素子（ＰＬＤ）、フィールドプログラマブルゲートアレー（ＦＰＧＡ）、プロセッサ、コントローラ、マイクロコントローラ、マイクロプロセッサ、本明細書で説明される機能を実行するように設計されたその他の電子ユニット、またはそれらの組合せの中で実装され得る。
【０１４３】
これらの実施形態が、ソフトウェア、ファームウェア、ミドルウェアもしくはマイクロコード、プログラムコードまたはコード区分の形で実装される場合、これらは、記憶構成要素などの機械可読媒体内に格納され得る。コード区分は、手順、関数、サブプログラム、プログラム、ルーチン、サブルーチン、モジュール、ソフトウェアパッケージ、クラス、または命令、データ構造、もしくはプログラム文の任意の組合せを表し得る。コード区分は、情報、データ、引数、パラメータ、もしくはメモリコンテンツを渡すことおよび／または受信することによって、別のコード区分あるいはハードウェア回路に結合され得る。情報、引数、パラメータ、データなどは、メモリ共有、メッセージパッシング、トークンパッシング、ネットワーク伝送などを含めて、任意の適切な手段を介して渡され、転送され、または送信されることが可能である。
【０１４４】
ソフトウェア実装形態の場合、本明細書で説明される技術は、本明細書で説明される機能を実行するモジュール（例えば、手順、関数、など）を用いて実装され得る。ソフトウェアコードは、メモリユニット内に格納されて、プロセッサによって実行されることが可能である。メモリユニットは、プロセッサ内で、またはプロセッサの外部で実装されることが可能であり、その場合、メモリユニットは、当技術分野で知られている様々な手段を介してプロセッサに通信的に結合され得る。
【０１４５】
図１９を参照すると、例示されるのは、無線通信環境において移動体デバイスに関連する通信を円滑にし得るシステム１９００である。例えば、システム１９００は、移動体デバイス（例えば、１１６）内に少なくとも部分的に備わることが可能である。システム１９００は、プロセッサ、ソフトウェア、またはそれらの組合せ（例えば、ファームウェア）によって実装される機能を表す機能ブロックであり得る機能ブロックを含むとして表される点を理解されたい。システム１９００は、協動することが可能な電気部品の論理グルーピング（logical grouping）１９０２を含む。
【０１４６】
例えば、論理グルーピング１９０２は、圧縮コンテキストに関するインデックス情報を受信するための電気部品１９０４を含み得る。一態様では、圧縮コンテキストに関するインデックス情報を受信するための電気部品１９０４は、発信基地局２０２から宛先基地局２０６へのハンドオーバが基地局間ハンドオーバであるかもしくは基地局内ハンドオーバであるか、圧縮コンテキストが発信基地局２０２によって宛先基地局２０６に転送されたかどうか、ならびに／あるいは、ハンドオーバに先立って、もしくはその間に、圧縮コンテキストの何の部分が発信基地局２０２によって宛先基地局２０６に転送されるかを示すことが可能な、コンテキストインデックスおよび／またはハンドオーバインデックスなどのインデックス情報を受信することが可能である。
【０１４７】
さらに、論理グルーピング１９０２は、圧縮コンテキストに関するインデックス情報を評価するための電気部品１９０６を備え得る。一態様では、圧縮コンテキストに関するインデックス情報を評価するための電気部品１９０６は、圧縮コンテキストが発信基地局２０２から宛先基地局２０６に転送されたかどうか、圧縮コンテキストの何の部分が発信基地局２０２から宛先基地局２０６に転送されたか、発信基地局２０２からのハンドオーバの後で、移動体デバイス１１６と宛先基地局２０６の間で圧縮コンテキストの何の部分が依然として確立されることになるか、ハンドオーバが基地局内ハンドオーバであるかまたは基地局間ハンドオーバであるかなどを決定することを円滑にするために、受信されたインデックス情報を解析および評価することが可能である。
【０１４８】
論理グルーピング１９０２は、基地局（例えば、宛先基地局２０６）と圧縮コンテキストを確立するための電気部品１９０８も含み得る。一態様では、基地局と圧縮コンテキストを確立するための電気部品１９０８は、移動体デバイス（例えば、１１６）と基地局（例えば、宛先基地局２０６）の間で、圧縮コンテキスト（例えば、圧縮静的コンテキスト、圧縮半静的コンテキスト、および／または圧縮動的コンテキスト）を確立することを円滑にすることが可能である。例えば、基地局と圧縮コンテキストを確立するための電気部品１９０８は、ハンドオーバの後で、移動体デバイス１１６と宛先基地局２０６の間で依然として確立されることになる圧縮コンテキストの任意の部分（例えば、動的コンテキスト）を確立することを円滑にすることが可能であり、この場合、発信基地局２０２は、宛先基地局２０６への移動体デバイス１１６のハンドオーバに先立って、またはその間に、圧縮コンテキスト（例えば、静的コンテキストおよび半静的コンテキスト）のサブセットを宛先基地局２０６に転送する。
【０１４９】
論理グルーピング１９０２は、データを送信するための電気部品１９１０も含み得る。一態様では、データを送信するための電気部品１９１０は、移動体デバイス１１６と基地局（例えば、発信基地局２０２、宛先基地局２０６）および／または移動体デバイス１１６に関連する別のデバイスの間で、圧縮されたデータを含むデータを送信することを円滑にすることが可能である。加えて、システム１９００は、電気部品１９０４、１９０６、１９０８、および１９１０に関連する機能を実行するための命令を保持することが可能なメモリ１９１２を含み得る。メモリ１９１２の外部であるとして示されるものの、電気部品１９０４、１９０６、１９０８、および１９１０のうちの１つまたは複数は、メモリ１９１２内に存在し得る点を理解されたい。
【０１５０】
図２０を参照すると、例示されるのは、無線通信環境において移動体デバイスに関連する通信を円滑にし得るシステム２０００である。例えば、システム２０００は、移動体デバイス（例えば、１１６）に関連し得る（例えば、無線接続され得る）基地局１０２（例えば、基地局１０２、発信基地局２０２、宛先基地局２０６）内に少なくとも部分的に在局し得る。システム２０００は、プロセッサ、ソフトウェア、またはそれらの組合せ（例えば、ファームウェア）によって実装される関数を表す関数ブロックであり得る関数ブロックを含むとして表される点を理解されたい。システム２０００は、協動することが可能な電気部品の論理グルーピング２００２を含む。
【０１５１】
一態様では、論理グルーピング２００２は、圧縮コンテキストのサブセットを送信するための電気部品２００４を含み得る。一態様では、圧縮コンテキストのサブセットを送信するための電気部品２００４は、移動体デバイス１１６と宛先基地局２０６の間で圧縮コンテキストを効率的に確立することを円滑にする目的で、ハンドオーバに先立って、またはその間に、移動体デバイス１１６と宛先基地局２０６の間で圧縮コンテキストの少なくとも一部を確立することを円滑にするために、発信基地局２０２から宛先基地局２０６への移動体デバイス１１６のハンドオーバ（例えば、基地局間ハンドオーバ）の間に、圧縮コンテキスト（例えば、圧縮静的コンテキストおよび圧縮半静的コンテキスト）のサブセットを発信基地局２０２から宛先基地局２０６に送信することが可能である。
【０１５２】
さらに、論理グルーピング２００２は、圧縮コンテキストに関するインデックス情報を送信するための電気部品２００６を備え得る。一態様では、圧縮コンテキストに関するインデックス情報を送信するための電気部品２００６は、ハンドオーバの後で、移動体デバイス１１６と宛先セル２０８（例えば、および関連する宛先基地局２０６）の間で、圧縮コンテキストの何の部分が依然として確立されることになるかを決定することを円滑にするために、宛先セル２０８への移動体デバイス１１６のハンドオーバの間に、移動体デバイス１１６が、任意の圧縮コンテキストが発信基地局２０２から宛先基地局２０６に転送されたかどうかを決定し、そうである場合、圧縮コンテキストの何の部分が発信基地局２０２から宛先基地局２０６に送信されたかを決定することができるように、発信元セル２０４から宛先セル２０８にハンドオーバされている移動体デバイス１１６に圧縮コンテキストに関するインデックス情報を送信することが可能である。このインデックス情報は、ハンドオーバが基地局間ハンドオーバであるかまたは基地局内ハンドオーバであるかを特定することも可能である。
【０１５３】
論理グルーピング２００２は、受信された圧縮コンテキストを評価するための電気部品２００８も含み得る。一態様では、受信された圧縮コンテキストを評価するための電気部品２００８は、受信された圧縮コンテキストを解析および評価することが可能であり、受信された圧縮コンテキストを適用することが可能である。例えば、静的コンテキストおよび半静的コンテキストを備える圧縮コンテキストのサブセットは、宛先基地局２０６への移動体デバイス１１６の基地局間ハンドオーバの間に、発信基地局２０２から宛先基地局２０６によって受信されることが可能である。宛先基地局２０６は、宛先基地局２０６と移動体デバイス１１６の間の効率的な通信を円滑にする目的で、宛先基地局２０６と移動体デバイス１１６の間で、少なくとも静的コンテキストおよび半静的コンテキストを確立するために、受信された圧縮コンテキストのサブセットを適用することが可能である。圧縮静的コンテキストおよび圧縮半静的コンテキストの確立など、圧縮コンテキストの少なくとも一部を確立するとすぐ、データパケット（または、少なくともある種のデータパケット）は、圧縮されて、確立されることになる任意の残りの圧縮コンテキスト（例えば、圧縮動的コンテキスト）を確立すること、および／または任意のその他の所望されるデータを通信することを円滑にするために、圧縮された形態で宛先基地局２０６と移動体デバイス１１６の間で送信されることが可能である。
【０１５４】
論理グルーピング２００２は、圧縮コンテキストを確立するための電気部品２０１０も含み得る。一態様では、圧縮コンテキストを確立するための電気部品２０１０は、移動体デバイス１１６と基地局（例えば、宛先基地局２０６）の間で圧縮コンテキストを確立することが可能である。圧縮コンテキストを確立するための電気部品２０１０は、発信基地局２０２から受信され得る圧縮コンテキスト（例えば、圧縮静的コンテキストおよび圧縮半静的コンテキスト）のサブセットおよび／または移動体デバイス１１６と宛先基地局２０６の間で通信された圧縮コンテキスト（例えば、圧縮動的コンテキスト）の別のサブセットを使用して、圧縮コンテキストを確立することが可能である。加えて、システム２０００は、電気部品２００４、２００６、２００８、および２０１０に関連する機能を実行するための命令を保持するメモリ２０１２を含み得る。メモリ２０１２の外部であるとして示されるものの、電気部品２００４、２００６、２００８、および２０１０のうちの１つまたは複数は、メモリ２０１２内に存在し得る点を理解されたい。
【０１５５】
上で説明されたことは、１つまたは複数の実施形態の例を含む。前述の実施形態を説明するために、構成要素または方法論のすべての考えられる組合せを説明することは当然不可能であるが、当業者は、様々な実施形態の多くのさらなる組合せおよび置換が可能であることを認識できよう。したがって、説明された実施形態は、添付の特許請求の範囲の精神内および範囲に包含されるかかる変更形態、修正形態、および変形形態を包括することが意図される。さらに、用語「含む」が発明を実施するための形態または特許請求の範囲のいずれかにおいて使用される限り、かかる用語は特許請求の範囲において移行語として用いられる場合に、用語「備える」が「備える」として解釈されるのと類似の様式で包括的であることが意図される。
【図１】
2010534043.tif 000011
【図２】
2010534043.tif 000012
【図３】
2010534043.tif 000013
【図４】
2010534043.tif 000014
【図５】
2010534043.tif 000015
【図６】
2010534043.tif 000016
【図７】
2010534043.tif 000017
【図８】
2010534043.tif 000018
【図９】
2010534043.tif 000019
【図１０】
2010534043.tif 000020
【図１１】
2010534043.tif 000021
【図１２】
2010534043.tif 000022
【図１３】
2010534043.tif 000023
【図１４】
2010534043.tif 000024
【図１５】
2010534043.tif 000025
【図１６】
2010534043.tif 000026
【図１７】
2010534043.tif 000027
【図１８】
2010534043.tif 000028
【図１９】
2010534043.tif 000029
【図２０】
2010534043.tif 000030
【国際調査報告】
2010534043.tif 000031
2010534043.tif 000032
2010534043.tif 000033